(57)【要約】ＭＭＴフォーマットデータをＭＰＥＧ−２ＴＳＶフォーマットデータに変換してメディアに記録し、元のコピー制御情報に従ったコピー制御を可能とする構成を実現する。コピー制御情報の設定されたＭＭＴフォーマットデータを入力し、ＭＰＥＧ−２ＴＳフォーマットデータに変換して情報記録媒体に記録する。ＭＭＴフォーマット規定のサービス記述テーブル（ＭＨ−ＳＤＴ）に記録されたコピー制御情報を取得し、予め規定した変換規則に従って、ＭＰＥＧ−２ＴＳ規定のプログラムマップテーブル（ＰＭＴ）に記録するコピー制御情報を生成する。例えば変換規則に従って、ＰＭＴに記録するＥＰＮ、ＣＣＩの値を決定して記録する。
2018221293.tif 000002
【特許請求の範囲】
【請求項１】
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部は、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理装置。
【請求項２】
前記データ処理部は、
入力データに含まれるＭＭＴフォーマットデータ対応のコピー制御情報を取得し、ＭＰＥＧ−２ＴＳフォーマット規定のプログラムマップテーブル（ＰＭＴ）に記録するコピー制御情報を生成する処理を行う請求項１に記載の情報処理装置。
【請求項３】
前記データ処理部は、
コピー制御情報を記録したプログラムマップテーブル（ＰＭＴ）を格納したＴＳパケットを生成し、ＢＤＡＶフォーマット、またはＳＰＡＶフォーマットにおいて規定されるクリップＡＶストリームファイルに格納する請求項１に記載の情報処理装置。
【請求項４】
前記データ処理部は、
前記ＭＭＴフォーマットデータ対応のコピー制御情報を、ＭＭＴフォーマット規定のサービス記述テーブル（ＭＨ−ＳＤＴ）から取得する請求項１に記載の情報処理装置。
【請求項５】
前記データ処理部は、
前記プログラムマップテーブル（ＰＭＴ）に、情報記録媒体に記録するデータについての、
（ａ）コピー出力データの暗号化要否情報、
（ｂ）コピー可否情報、またはコピー許容回数情報の少なくともいずれかの情報、
上記各情報を記録する請求項２に記載の情報処理装置。
【請求項６】
前記データ処理部は、
前記プログラムマップテーブル（ＰＭＴ）の記録データとして規定されるＥＰＮ、ＣＣＩの各値の決定処理を行う請求項２に記載の情報処理装置。
【請求項７】
前記データ処理部は、
前記プログラムマップテーブル（ＰＭＴ）に記録するＥＰＮ、ＣＣＩの各値の決定処理を、予め規定した変換規則に従って実行する請求項６に記載の情報処理装置。
【請求項８】
前記変換規則は、
ＭＭＴフォーマット規定のサービス記述テーブル（ＭＨ−ＳＤＴ）に記録されるコピー制御情報と、ＭＰＥＧ−２ＴＳフォーマット規定のプログラムマップテーブル（ＰＭＴ）に記録されるコピー制御情報との変換規則である請求項７に記載の情報処理装置。
【請求項９】
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部は、
前記コピー制御情報を参照して、参照情報に従って前記ストリームファイルのコピー制御を実行する情報処理装置。
【請求項１０】
前記コピー制御情報は、
ＭＰＥＧ−２ＴＳフォーマット規定のプログラムマップテーブル（ＰＭＴ）に記録されており、
前記データ処理部は、
プログラムマップテーブル（ＰＭＴ）を格納したＴＳパケットを選択し、選択ＴＳパケットからプログラムマップテーブル（ＰＭＴ）を取得し、取得したプログラムマップテーブル（ＰＭＴ）に記録されたコピー制御情報を参照して、参照情報に従って前記ストリームファイルのコピー制御を実行する請求項９に記載の情報処理装置。
【請求項１１】
前記データ処理部は、
前記プログラムマップテーブル（ＰＭＴ）の記録データとして規定されるＥＰＮ、ＣＣＩの各値に従ったコピー制御を実行する請求項１０に記載の情報処理装置。
【請求項１２】
前記コピー制御情報は、
ＭＭＴフォーマット規定のサービス記述テーブル（ＭＨ−ＳＤＴ）から取得されたコピー制御情報に基づいて生成されたコピー制御情報である請求項９に記載の情報処理装置。
【請求項１３】
前記データ処理部は、
前記コピー制御情報に基づいて、
（ａ）コピー出力データの暗号化要否、
（ｂ）コピー可否情報、またはコピー許容回数情報の少なくともいずれかの情報、
上記各情報を取得し、取得情報に従って前記ストリームファイルのコピー制御を実行する請求項９に記載の情報処理装置。
【請求項１４】
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを再生データとして格納したＴＳパケットと、
前記再生データ対応のコピー制御情報を格納したＴＳパケットと、
を含むＴＳパケット列によって構成されるストリームファイルを有する情報記録媒体であり、
前記情報記録媒体の記録データのコピー処理を実行する情報処理装置が、
前記コピー制御情報を参照して、参照情報に従って前記ストリームファイルのコピー制御を実行可能とした記録データを有する情報記録媒体。
【請求項１５】
情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部が、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理方法。
【請求項１６】
情報処理装置において実行する情報処理方法であり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部が、
前記コピー制御情報を参照して、参照情報に従って前記ストリームファイルのコピー制御を実行する情報処理方法。
【請求項１７】
情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記プログラムは、前記データ処理部に、
入力データに含まれるＭＭＴフォーマットデータ対応のコピー制御情報を取得する処理と、ＭＰＥＧ−２ＴＳフォーマットにおいて規定されるコピー制御情報に変換する処理と、ＭＰＥＧ−２ＴＳフォーマット規定のコピー制御情報を含む記録データを生成する処理を実行させるプログラム。
【請求項１８】
情報処理装置において情報処理を実行させるプログラムであり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記プログラムは、前記データ処理部に、
前記コピー制御情報を参照して、参照情報に従って前記ストリームファイルのコピー制御を実行させるプログラム。
【発明の詳細な説明】
【技術分野】
【０００１】
本開示は、情報処理装置、情報記録媒体、および情報処理方法、並びにプログラムに関する。さらに詳細には、放送波等における今後のデータ伝送規格として規格化が進められているＭＭＴ（ＭＰＥＧ  Ｍｅｄｉａ  Ｔｒａｎｓｐｏｒｔ）フォーマットデータを入力して、メディアに記録し、さらにメディア記録データのコピー処理を行う場合のコピー制御を可能とした情報処理装置、情報記録媒体、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。【０００５】
なお、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとしては、ＭＰＥＧ−２ＴＳフォーマットが多く利用されている。
また、このＭＰＥＧ−２ＴＳフォーマット対応の記録再生アプリケーション規格（フォーマット）としてＢＤＭＶやＢＤＡＶ規格（フォーマット）が広く利用されている。【０００６】
なお、ＢＤＭＶやＢＤＡＶは、主にＢＤ（Ｂｌｕ−ｒａｙ（登録商標）  Ｄｉｓｃ）を利用したデータ記録再生のアプリケーション規格であるが、これらの規格はＢＤに限らず、フラッシュメモリやＨＤなど、その他のＢＤ以外のメディアを利用したデータ記録再生にも適用可能である。
ＢＤを利用したデータ記録再生処理構成については、例えば特許文献１（特開２０１１−０２３０７１号公報）等に記載がある。【０００７】
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。【０００８】
上述のＭＭＴフォーマットに従った配信コンテンツを、情報記録媒体（メディア）に記録し、メディアからのコンテンツ再生処理をＢＤＡＶフォーマット対応の再生アプリケーションを利用して行なうためには、このＢＤＡＶフォーマットに従ってデータ記録を行うことが必要である。【０００９】
ＢＤＡＶフォーマットは、再生制御情報ファイルとして、プレイリストファイルやクリップ情報ファイル等のデータベースファイルを規定しており、ＢＤＡＶ対応再生アプリケーションはこれらの再生制御情報ファイル（データベースファイル）を参照してデータ再生処理を実行する。
従って、ＭＭＴフォーマットデータについても、これらのプレイリストファイルやクリップ情報ファイルに記録された再生制御情報を利用して再生処理を行うことが必要となる。【００１０】
さらに、例えばＢＤ（Ｂｌｕ−ｒａｙ（登録商標）  Ｄｉｓｃ）やフラッシュメモリやＨＤ（ハードディスク）等の記録メディアに、画像、音声、字幕等のコンテンツを記録した場合、ユーザは、そのメディア記録データを、他の第２メディアにコピーする場合がある。【００１１】
しかし、放送コンテンツの多くは著作権により保護されたコンテンツであり、番組等のコンテンツ単位で様々なコピー制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信されるパケット（ＴＬＶパケット／ＭＭＴＰパケット）に格納されてユーザ側の受信装置に送信される。【００１２】
これらのデータをＢＤ等のメディアに記録した後は、例えば、ＢＤＡＶフォーマット対応のアプリケーションを利用してコピー処理が行われる。
しかし、現行のＢＤＡＶフォーマット対応のアプリケーションには、ＭＭＴＰパケットに格納されたコピー制御情報を参照してコピー処理の可否を判断するといった処理を行うアルゴリズムは含まれていない。
従って、何らかの対策を行わないと、放送波によって送信されるコピー制御情報を無視した無秩序なコピー処理が行われる可能性がある。
【先行技術文献】
【特許文献】
【００１３】
【特許文献１】特開２０１１−０２３０７１号公報
【発明の概要】
【発明が解決しようとする課題】
【００１４】
本開示は、例えば、上記の問題点に鑑みてなされたものであり、ＭＭＴフォーマットに従った配信データを入力して、ＢＤ等の記録メディアに記録し、さらに、その記録データを他メディアにコピーする場合に、元のＭＭＴフォーマットデータに設定されたコピー制御情報を順守した確実なコピー制御を可能とした情報処理装置、情報記録媒体、および情報処理方法、並びにプログラムを提供することを目的とする。
【課題を解決するための手段】
【００１５】
本開示の第１の側面は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部は、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理装置にある。【００１６】
さらに、本開示の第２の側面は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部は、
前記コピー制御情報を参照して、参照情報に従って前記ストリームファイルのコピー制御を実行する情報処理装置にある。【００１７】
さらに、本開示の第３の側面は、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを再生データとして格納したＴＳパケットと、
前記再生データ対応のコピー制御情報を格納したＴＳパケットと、
を含むＴＳパケット列によって構成されるストリームファイルを有する情報記録媒体であり、
前記情報記録媒体の記録データのコピー処理を実行する情報処理装置が、
前記コピー制御情報を参照して、参照情報に従って前記ストリームファイルのコピー制御を実行可能とした記録データを有する情報記録媒体にある。【００１８】
さらに、本開示の第４の側面は、
情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部が、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理方法にある。【００１９】
さらに、本開示の第５の側面は、
情報処理装置において実行する情報処理方法であり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部が、
前記コピー制御情報を参照して、参照情報に従って前記ストリームファイルのコピー制御を実行する情報処理方法にある。【００２０】
さらに、本開示の第６の側面は、
情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記プログラムは、前記データ処理部に、
入力データに含まれるＭＭＴフォーマットデータ対応のコピー制御情報を取得する処理と、ＭＰＥＧ−２ＴＳフォーマットにおいて規定されるコピー制御情報に変換する処理と、ＭＰＥＧ−２ＴＳフォーマット規定のコピー制御情報を含む記録データを生成する処理を実行させるプログラムにある。【００２１】
さらに、本開示の第７の側面は、
情報処理装置において情報処理を実行させるプログラムであり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記プログラムは、前記データ処理部に、
前記コピー制御情報を参照して、参照情報に従って前記ストリームファイルのコピー制御を実行させるプログラムにある。【００２２】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２３】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２４】
本開示の一実施例の構成によれば、ＭＭＴフォーマットデータをＭＰＥＧ−２ＴＳＶフォーマットデータに変換してメディアに記録し、元のコピー制御情報に従ったコピー制御を可能とする構成が実現される。
具体的には、例えば、コピー制御情報の設定されたＭＭＴフォーマットデータを入力し、ＭＰＥＧ−２ＴＳフォーマットデータに変換して情報記録媒体に記録する。ＭＭＴフォーマット規定のサービス記述テーブル（ＭＨ−ＳＤＴ）に記録されたコピー制御情報を取得し、予め規定した変換規則に従って、ＭＰＥＧ−２ＴＳ規定のプログラムマップテーブル（ＰＭＴ）に記録するコピー制御情報を生成する。例えば変換規則に従って、ＰＭＴに記録するＥＰＮ、ＣＣＩの値を決定して記録する。
本構成により、ＭＭＴフォーマットデータをＭＰＥＧ−２ＴＳＶフォーマットデータに変換してメディアに記録し、元のコピー制御情報に従ったコピー制御を可能とする構成が実現される。
なお、本明細書に記載された効果はあくまで例示であって限定されるものではなく、また付加的な効果があってもよい。
【図面の簡単な説明】
【００２５】
【図１】本開示の処理を実行する情報処理装置の利用構成例について説明する図である。
【図２】ＭＭＴフォーマットについて説明する図である。
【図３】ＭＭＴフォーマットに従った画像データ格納構成例について説明する図である。
【図４】ＢＤＡＶフォーマットについて説明する図である。
【図５】ＢＤＡＶフォーマットに従ったデータ再生処理例について説明する図である。
【図６】ＭＰＥＧ−２ＴＳフォーマットについて説明する図である。
【図７】ＭＭＴフォーマットについて説明する図である。
【図８】ＳＰＡＶフォーマットについて説明する図である。
【図９】ＭＭＴフォーマットデータを、ＭＰＥＧ−２ＴＳフォーマットに変換して情報記録媒体（メディア）に記録する処理例について説明する図である。
【図１０】ＭＭＴフォーマットデータを、ＭＰＥＧ−２ＴＳフォーマットに変換して情報記録媒体（メディア）に記録する処理例について説明する図である。
【図１１】記録メディアにＭＭＴフォーマットデータを記録し、その記録データを他メディアにコピーする処理の具体例について説明する図である。
【図１２】放送局等から番組コンテンツとともに送信されるコピー制御情報について説明する図である。
【図１３】放送局等から番組コンテンツとともに送信されるコピー制御情報について説明する図である。
【図１４】ＭＭＴＰパケットに格納されるサービス記述テーブル（ＭＨ−ＳＤＴ）のデータ構成（シンタクス）を示す図である。
【図１５】コンテンツコピー制御記述子のデータ構成（Ｓｙｎｔａｘ）について説明する図である。
【図１６】コンテンツ利用制御記述子のデータ構成（Ｓｙｎｔａｘ）について説明する図である。
【図１７】デジタルコピー制御態様の種類（５種類）と、ＭＭＴフォーマットにおいて規定される３種類の制御情報の設定を一覧としてまとめた図である。
【図１８】、ＭＰＥＧ−２ＴＳフォーマットにおいて規定されるプログラムマップテーブル（ＰＭＴ）について説明する図である。
【図１９】コピー状態記述子（ｃｏｐｙ＿ｓｔａｔｕｓ＿ｄｅｓｃｒｉｐｔｏｒ）のデータ構成（シンタクス：Ｓｙｎｔａｘ）について説明する図である。
【図２０】プライベートデータ記録領域のデータ構成例について説明する図である。
【図２１】ＥＰＮと、ＣＣＩの詳細について説明する図である。
【図２２】ＭＭＴフォーマット対応のコピー制御情報から、ＭＥＧ−２ＴＳフォーマット対応のコピー制御情報に変換するための変換規則の例について説明する図である。
【図２３】情報記録媒体（メディア）に対するデータ記録処理を実行する情報処理装置の構成例についてを説明する図である。
【図２４】情報記録媒体（メディア）に対するデータ記録処理を実行する情報処理装置の構成例についてを説明する図である。
【図２５】情報記録媒体（メディア）に対するデータ記録処理の処理シーケンスを説明するフローチャートを示す図である。
【図２６】情報記録媒体（メディア）間のデータコピー処理を実行する情報処理装置の構成例についてを説明する図である。
【図２７】情報記録媒体（メディア）間のデータコピー処理の処理シーケンスを説明するフローチャートを示す図である。
【図２８】本開示の処理に適用される報処理装置のハードウェア構成例について説明する図である。
【発明を実施するための形態】
【００２６】
以下、図面を参照しながら本開示の情報処理装置、情報記録媒体、および情報処理方法、並びにプログラムの詳細について説明する。なお、説明は以下の項目に従って行なう。
１．通信システムの構成例について
２．ＭＭＴ（ＭＰＥＧ  Ｍｅｄｉａ  Ｔｒａｎｓｐｏｒｔ）フォーマットについて
３．ＢＤＡＶフォーマットとＳＰＡＶフォーマットについて
４．ＭＭＴフォーマットデータ入力処理、メディア記録処理、およびコピー処理の例について
５．ＭＭＴフォーマットデータに設定されるコピー制御情報について
６．ＭＭＴフォーマットデータをＭＰＥＧ−２ＴＳフォーマットデータに変換して記録する場合のコピー制御情報の記録処理について
７．情報記録媒体に対するデータ記録処理を実行する情報処理装置の構成と処理について
８．情報記録媒体間のデータコピー処理を実行する情報処理装置の構成と処理について
９．情報処理装置の構成例について
１０．本開示の構成のまとめ
【００２７】
［１．通信システムの構成例について］
まず、図１を参照して本開示の処理を実行する情報処理装置の一つの利用構成例である通信システムの例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理、さらに、他メディアに対するデータコピー処理等を実行する。
【００２８】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００２９】
情報処理装置３０は、例えば記録再生装置３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディアからのデータ再生処理、さらに、メディア間のデータコピー処理等を実行する。
【００３０】
送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００３１】
送信装置２０は、コンテンツデータを符号化し、符号化データおよび符号化データのメタデータを含むデータファイルを生成し、生成した符号化データをＭＭＴにおいて規定されるＭＭＴＰ（ＭＭＴ  Ｐｒｏｔｏｃｏｌ）パケットに格納して放送波、またはネットワークを介して送信する。
【００３２】
送信装置２０が情報処理装置３０に提供するデータは、画像、音声、字幕等の再生対象データの他、番組ガイド等の案内情報や通知情報、制御メッセージ等の様々な管理情報によって構成される制御情報（ＳＩ：Ｓｉｇｎａｌｉｎｇ  Ｉｎｆｏｒｍａｔｉｏｎ（シグナリング情報））によって構成される。
【００３３】
［２．ＭＭＴ（ＭＰＥＧ  Ｍｅｄｉａ  Ｔｒａｎｓｐｏｒｔ）フォーマットについて］
上述したように、送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
図２以下を参照して、ＭＭＴ（ＭＰＥＧ  Ｍｅｄｉａ  Ｔｒａｎｓｐｏｒｔ）フォーマットについて説明する。
【００３４】
図２は、ＭＭＴフォーマットのスタック・モデルを示す図である。
図２に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００３５】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００３６】
制御情報（ＳＩ）は、情報処理装置３０側においてコンテンツ（番組）を受信、再生するために必要となる設定情報や、番組ガイド等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴＰパケットに格納される制御情報（ＳＩ）は最上位レイヤに示すＭＭＴ−ＳＩであり、主に再生制御に関する制御情報によって構成されている。
【００３７】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００３８】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データ、
音声符号化規格であるＡＡＣ（Ａｄｖａｎｃｅｄ  Ａｕｄｉｏ  Ｃｏｄｉｎｇ）に従った符号化音声データである音声（Ａｕｄｉｏ）データ、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信される制御情報（ＭＭＴ−ＳＩ）、
さらに、ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００３９】
制御情報（ＭＭＴ−ＳＩ）は、ＭＭＴＰパケットで送信される制御情報（シグナリング情報）であり、情報処理装置３０側においてコンテンツ（番組）を再生するために必要となる設定情報や、番組ガイド等の案内情報や通知情報、制御情報等の様々な管理情報によって構成される。
【００４０】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００４１】
図２に示すように、画像、音声、字幕、さらに、様々な通知情報や制御情報等の様々な管理情報からなる制御情報（ＭＭＴ−ＳＩ）やアプリケーションは、ＭＭＴＰパケットによって送信される。
【００４２】
図３を参照してＭＭＴＰパケットの具体的構成例について説明する。
図３には以下の４種類のデータ構成例を示している。
（ａ）ＭＰＵ（Ｍｅｄｉａ  Ｐｒｅｓｅｎｔａｔｉｏｎ  Ｕｎｉｔ）
（ｂ）ＭＭＴＰペイロート
（ｃ）ＭＭＴＰパケット
（ｄ）ＴＬＶパケット
【００４３】
（ｄ）ＴＬＶパケットが放送波やネットワークを介して送信されるパケットであり、ＴＬＶパケットには、ＵＤＰヘッダ、ＩＰヘッダ、ＴＬＶヘッダの各ヘッダ情報が設定される。ＴＬＶパケットは、データ種類ごとに個別のパケットとして設定される。
【００４４】
すなわち、１つのＴＬＶパケットのＴＬＶペイロードには、１つの種類のデータが格納される。具体的には、例えば、画像（Ｖ）、音声（Ａ）、字幕（Ｓ）、あるいは、様々な管理情報からなる制御情報（ＳＩ）が個別に格納される。
なお、制御情報（ＳＩ）については、ＭＭＴＰパケットに格納する制御情報（ＭＭＴ−ＳＩ）と、ＴＬＶパケットで送信される制御情報（ＴＬＶ−ＳＩ）があり、それぞれ異なる個別のＴＬＶパケットに格納される。
【００４５】
ＴＬＶパケットのペイロードであるＴＬＶペイロートの一例が、図３（ｃ）に示すＭＭＴＰパケットである。
図３（ｃ）に示すＭＭＴＰパケットは、ＭＭＴＰヘッダと、ＭＭＴＰペイロードによって構成される。
【００４６】
１つのＭＭＴＰパケットのＭＭＴＰペイロードには、１つの種類のデータが格納される。具体的には、例えば、画像（Ｖ）、音声（Ａ）、字幕（Ｓ）、さらにＭＭＴＰパケットに格納する制御情報（ＭＭＴ−ＳＩ）、これらのいずれか一種類のデータが、個別のＭＭＴＰパケットに格納される。
【００４７】
図３（ａ），（ｂ）は、図３（ｃ）に示すＭＭＴＰパケットのＭＭＴＰペイロードに格納される画像データの詳細構成を示している。
図３（ｂ）は、図３（ｃ）に示すＭＭＴＰパケット中、ＭＭＴＰペイロードが画像データ（Ｖ）であるもののみを選択して示している。
図３（ｂ）に示すＭＭＴＰペイロードは、ヘッダとデータユニットによって構成される。
【００４８】
データユニットには、図３（ａ）に示すように、画像データおよび、以下の各種のパラメータが格納される。
ＡＵ  Ｄｅｌｉｍｉｔｅｒ（Ａｃｃｅｓｓ  Ｕｎｉｔ  Ｄｅｌｉｍｉｔｅｒ）
ＳＰＳ（Ｓｅｑｕｅｎｃｅ  Ｐａｒａｍｅｔｅｒ  Ｓｅｔ）
ＰＰＳ（Ｐｉｃｔｕｒｅ  Ｐａｒａｍｅｔｅｒ  Ｓｅｔ）
ＳＥＩｓ（Ｓｕｐｐｌｅｍｅｎｔａｌ  Ｅｎｈａｎｃｅｍｅｎｔ  Ｉｎｆｏｒｍａｔｉｏｎ）
これらのパラメータは、画像表示に利用されるパラメータである。
【００４９】
図３（ａ）に示すＭＰＵ（Ｍｅｄｉａ  Ｐｒｅｓｅｎｔａｔｉｏｎ  Ｕｎｉｔ）は、ＭＭＴフォーマットにおける画像、音声、字幕等の再生対象データの１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【００５０】
このように、例えば画像データは、図３（ａ）に示すように、ＭＭＴフォーマットにおいて規定されたパラメータと画像構成データに分割され、図３（ｂ）に示すＭＭＴＰペイロードに格納され、図３（ｃ）に示すＭＭＴＰパケットとして構成される。
さらに、ＭＭＴＰパケットは、図３（ｄ）に示すＴＬＶパケットのペイロードとして設定されて、ＴＬＶパケットが放送波やネットワークを介して送信される。
【００５１】
なお、音声、字幕等の各データ、ＭＭＴ−ＳＩの各データについても、それぞれデータ種類単位のＭＭＴＰパケット、ＴＬＶパケットが設定されて送信される。
ＴＬＶ−ＳＩは、ＭＭＴＰパケットに格納されることなくＴＬＶパケットに格納されて送信される。
【００５２】
［３．ＢＤＡＶフォーマットとＳＰＡＶフォーマットについて］
次に、上述のＭＭＴフォーマットに従った配信コンテンツを例えばＢＤ（Ｂｌｕ−ｒａｙ（登録商標）  Ｄｉｓｃ）やフラッシュメモリ、あるいはＨＤ（ハードディスク等のメディアに記録して再生する場合の記録データフォーマットであるＢＤＡＶフォーマットとＳＰＡＶフォーマットについて図４以下を参照して説明する。
【００５３】
例えばＢＤ（Ｂｌｕ−ｒａｙ（登録商標）  Ｄｉｓｃ）やフラッシュメモリやＨＤ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００５４】
前述したように、現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００５５】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００５６】
上述のＭＭＴフォーマットに従った配信コンテンツを記録したメディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００５７】
図４は、情報記録媒体（メディア）４０にＢＤＡＶフォーマットに従って記録されたデータのディレクトリ構成例を示す図である。
ディレクトリには、図４に示すように様々な管理情報、再生制御情報、再生対象データの格納ファイルが設定される。
【００５８】
管理情報ファイルは、例えば、図４に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００５９】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００６０】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
なお、ＭＰＥＧ−２ＴＳフォーマットにおいて規定され、クリップＡＶストリームファイルに記録される管理情報として、例えば、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）がある。
【００６１】
なお、従来の放送データや、ネットワーク配信データは、ＴＳ（Ｔｒａｎｓｐｏｒｔ  Ｓｔｒｅａｍ）パケットによって構成されたＭＰＥＧ−２ＴＳフォーマットデータであるが、今後の４Ｋ，８Ｋ画像等の高精細画像等を含むデータは前述したＭＭＴＰパケットによって構成されるＭＭＴフォーマットデータとなることが予想される。
【００６２】
図４にはクリップＡＶストリームファイル（ｓｔｒｅａｍ）として、
ＴＳパケットによって構成されたＭＰＥＧ−２ＴＳフォーマットデータからなるストリームファイル（ｎｎｎｎｎ．ｍ２ｔｓ）、
ＭＭＴＰパケットによって構成されるＭＭＴフォーマットデータ（ｎｎｎｎｎ．ｍｍｔｖ）、
これらの２種類のストリームファイルを示している。
【００６３】
図４に示すディレクトリ例は、情報処理装置３０が受信したデータがＭＰＥＧ−２ＴＳフォーマットデータである場合は、そのまま、ＭＰＥＧ−２ＴＳフォーマットデータとしてメディアに記録し、受信データがＭＭＴフォーマットデータである場合は、ＭＭＴフォーマットデータとしてメディアに記録する設定の場合のディレクトリ例である。
【００６４】
なお、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列からなるクリップＡＶストリームファイルを生成する、
これらの２種類の処理が想定される。
【００６５】
なお、上記（１）の処理は、具体的には、ＭＰＥＧ−２ＴＳフォーマットにおいて規定されるＴＳパケットのパケット列として記録する処理である。
また、上記（２）の処理は、具体的には、ＭＭＴフォーマットにおいて規定されるＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する処理である。
【００６６】
管理情報ファイル、プレイリストファイル、クリップ情報ファイル、これらのデータファイルは、クリップＡＶストリームファイルに格納された再生データである画像、音声、字幕等の再生処理に適用する管理情報の格納ファイルである。これらは、再生制御情報や、再生データの属性情報等を格納したファイルであり、データベースファイルと呼ばれる。
【００６７】
情報記録媒体に記録されたコンテンツを再生するシーケンスは以下の通りである。
（ａ）まず、再生アプリケーションによって管理情報ファイルから特定のタイトルを指定する。
（ｂ）指定されたタイトルに関連付けられたプレイリストが選択される。
（ｃ）選択されたプレイリストに規定されたクリップ情報によって、コンテンツ実データとしてのＡＶストリームあるいはコマンドが読み出されて、ＡＶストリームの再生や、コマンドの実行処理が行われる。
【００６８】
図５は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００６９】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００７０】
これら複数のカテゴリのファイルは、図５に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００７１】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００７２】
クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットやＴＬＶパケットによって構成される。
【００７３】
なお、クリップＡＶストリーム（Ｃｌｉｐ  ＡＶ  Ｓｔｒｅａｍ）ファイルには、画像、音声、字幕等の再生データのみならず、様々な再生制御情報も格納される。
【００７４】
ＭＰＥＧ−２ＴＳフォーマットに従ったＴＳパケットから構成されるクリップＡＶストリームファイルには、画像、音声、字幕等の各再生データ種別の個別のＴＳパケットと、例えば各再生データに関する属性情報、制御情報等を記録した制御情報格納ＴＳパケットが格納される。各パケットにはパケットＩＤ（ＰＩＤ）が設定され、どの種類のデータが格納されているかをパケットＩＤ（ＰＩＤ）に基づいて判定することができる。
ＴＳパケットに格納される制御情報には、例えばプログラムマップテーブル（ＰＭＴ：Ｐｒｏｇｒａｍ  Ｍａｐ  Ｔａｂｌｅ）等がある。
【００７５】
一方、ＭＭＴフォーマットに従ったＭＭＴＰパケット、またはＴＬＶパケットから構成されるクリップＡＶストリームファイルにも、画像、音声、字幕等の各再生データ種別の個別のＭＭＴＰパケット、またはＴＬＶパケットと、例えば各再生データに関する属性情報、制御情報等を記録した制御情報格納ＭＭＴＰパケット、またはＴＬＶパケットが格納される。各パケットにはパケットＩＤ（ＰＩＤ）が設定され、どの種類のデータが格納されているかをパケットＩＤ（ＰＩＤ）に基づいて判定することができる。
ＭＭＴＰパケット、またはＴＬＶパケットに格納される制御情報には、例えばＭＭＴパッケージテーブル（ＭＰＴ：ＭＭＴ  Ｐａｃｋｅｇｅ  Ｔａｂｌｅ）等がある。
【００７６】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００７７】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００７８】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００７９】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
また、４Ｋ，８Ｋ画像等の高精細画像データ等において、今後、利用予定のＭＭＴフォーマットデータである場合はＭＭＴＰパケット、またはＴＬＶパケットによって構成される。
図６、図７を参照して、ＭＭＴフォーマットと、ＭＰＥＧ−２ＴＳフォーマットについて説明する。
【００８０】
まず、図６を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データや管理情報（ＰＳＩ／ＳＩ）を記録媒体（メディア）に格納、または放送波やネットワークを介して伝送する際の符号化データ等のデータ格納形式（コンテナフォーマット）を規定したフォーマットである。
【００８１】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００８２】
図６（ａ）〜（ｃ）はＭＰＥＧ−２ＴＳフォーマットデータの構成を示す図である。
最下段に示す図６（ａ）は、ＭＰＥＧ−２ＴＳのフォーマットデータの全体構成を示す図である。
図６（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００８３】
１つのエレメンタリストリーム（Ｅｌｅｍｅｎｔａｒｙ  ｓｔｒｅａｍ）は、図２（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００８４】
１つのＰＥＳパケットは、図６（ｃ）に示すように、１つまたは複数のＴＳパケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００８５】
次に、図７を参照してＭＭＴ（ＭＰＥＧ  Ｍｅｄｉａ  Ｔｒａｎｓｐｏｒｔ）フォーマットについて説明する。
ＭＭＴフォーマットについては、先に図３を参照しているが、図７に示すＭＭＴフォーマットの説明図は、図６を参照して説明したＭＰＥＧ−２ＴＳフォーマットとの対応関係を分かり易く説明した図である。
【００８６】
先に説明したように、ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランスポートフォーマット）を規定したものである。
図７は、ＩＳＯ／ＩＥＣ  ２３００８−１に規定されるファイルフォーマットであるＭＭＴフォーマットについて説明する図である。
【００８７】
図７（ａ）〜（ｃ）にはＭＭＴフォーマットデータの構成を示している。
最下段に示す図７（ａ）は、ＭＭＴフォーマットデータの全体構成を示す図である。
図７（ａ）に示すように、ＭＭＴフォーマットデータは、複数のメディアプレゼンテーションユニット（ＭＰＵ：Ｍｅｄｉａ  ｐｒｅｓｅｎｔａｔｉｏｎ  ｕｎｉｔ）によって構成される。
ＭＰＵは、例えば画像、音声、字幕等の１つの単位として設定されるユニットである。例えば、画像の場合、１ＭＰＵが１つのＭＰＥＧ圧縮画像単位である１ＧＯＰ（Ｇｒｏｕｐ  ｏｆ  ｐｉｃｔｕｒｅ）に相当する。
【００８８】
１つのＭＰＵは、図７（ｂ）に示すように、１つまたは複数のメディアフラグメントユニット（ＭＦＵ：Ｍｅｄｉａ  Ｆｒａｇｍｅｎｔ  ｕｎｉｔ）によって構成される。
具体的には、１つのＭＰＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＦＵの１つ、または複数から構成される。
【００８９】
１つのＭＦＵは、図７（ｃ）に示すように、１つまたは複数のＭＭＴＰパケットによって構成される。
具体的には、１つのＭＦＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＭＴＰパケットの１つ、または複数から構成される。
ＭＭＴＰパケットは可変長であり、様々なパケットサイズに設定可能である。
ＭＭＴＰパケットの各々は、属性情報等を格納するヘッダ（ＭＭＴＰヘッダ）と、符号化画像の実データ等を格納するペイロード（ＭＭＴＰペイロード）により、構成される。
【００９０】
なお、ＢＤＡＶフォーマットに類似するフォーマットとしてＳＰＡＶフォーマットがある。前述したように、ＢＤＭＶやＢＤＡＶは、主にＢＤを利用したデータ記録再生のアプリケーション規格である。これに対して、ＳＰＡＶフォーマットは、主にハードディスクに対するデータ記録再生のアプリケーション規格である。
ただし、ＢＤＡＶフォーマット、ＳＰＡＶフォーマットのいずれも、ＢＤ，フラッシュメモリ、ＨＤ等、様々なメディアを利用した記録再生に利用可能なフォーマットである。
【００９１】
ＳＰＡＶフォーマットデータは、ＢＤＡＶフォーマットにおけるデータ記録再生処理と同様の処理でデータ記録再生を実行することが可能である。ただし、ＳＰＡＶフォーマットは、ファイル名設定が、ＢＤＡＶフォーマットと一部、異なっている。
図８にＳＰＡＶフォーマットのディレクトリ構成例を示す。
【００９２】
図８に示すＳＰＡＶフォーマットのディレクトリには、先に図４を参照して説明したＢＤＡＶフォーマットと同様、様々な管理情報、再生制御情報、再生対象データの格納ファイルが設定される。
【００９３】
管理情報ファイルは、例えば、図８に示すインフォファイル（ＩＮＦＯ）、メニューファイル（ＭＥＮＵ）、マークファイル（ＭＡＲＫ）等によって構成される。これらは、主にユーザに見せるタイトルの管理情報等を格納する。
また、再生制御情報ファイルとして、
プレイリストファイル（ＰＬＡＹＬＩＳＴ）、
クリップ情報ファイル（ＣＬＩＰＩＮＦ）
例えば、これらのファイルが記録される。
さらに、再生データ格納ファイルとして、クリップＡＶストリームファイル（ＳＴＲＥＡＭ）が記録される。
【００９４】
図８に示すようにＳＰＡＶフォーマットのディレクトリ名や各ファイルの拡張子の設定が、図４を参照して説明したＢＤＡＶフォーマットと異なっている。
ただし、各ファイルに格納されるデータや、各ファイルの役割は、ＢＤＡＶフォーマットと同様である。
【００９５】
以下の実施例の説明では、ＭＭＴフォーマットデータをＢＤＡＶフォーマットデータとして記録し、再生、コピーする処理例について説明するが、以下に説明する実施例は、ＭＭＴフォーマットデータをＳＰＡＶフォーマットデータとして記録し、再生、コピーする処理にも適用可能である。
【００９６】
［４．ＭＭＴフォーマットデータ入力処理、メディア記録処理、およびコピー処理の例について］
次に、ＭＭＴフォーマットデータの入力処理、メディア記録処理、およびコピー処理の例について説明する。
【００９７】
先に説明したように、ＭＭＴフォーマットは、今後、放送局等によって配信が予定される４Ｋ画像や８Ｋ画像等の送信に利用されるデータ配信フォーマットであり、図２を参照して説明したプロトコルスタックに従ったフォーマットである。
【００９８】
一方、ＢＤＡＶフォーマットはメディアに対するデータ記録フォーマットであり、図４を参照して説明したようにプレイリストファイルやクリップ情報ファイル等の再生制御情報ファイルを含むデータベースファイルが規定されている。
なお、ＢＤＡＶフォーマットはデータ記録フォーマットであるとともにデータ記録再生アプリケーション規格にも対応しており、ＢＤＡＶフォーマットに従ってメディアに記録されたデータ再生は、ＢＤＡＶフォーマット対応の再生アプリケーションを利用して再生処理が実行される。
【００９９】
従って、ＭＭＴフォーマットに従った配信コンテンツをメディアに記録し、記録したメディアからのコンテンツ再生処理をＢＤＡＶフォーマット対応の再生アプリケーションを利用して行なうためには、ＢＤＡＶフォーマットに従ったデータ記録を行うことが必要である。
【０１００】
前述したように、現在、ＢＤＡＶフォーマットを拡張し、ＭＭＴフォーマットデータを記録、再生可能とするための規定について議論が進められている。
【０１０１】
なお、前述したように、ＭＭＴフォーマットデータをメディアに記録する場合のクリップＡＶストリームファイルの構成として、以下の２通りの処理が可能である。
（１）ＭＭＴフォーマットをＭＰＥＧ−２ＴＳフォーマットに変換してＴＳパケット列から構成されるクリップＡＶストリームファイルを生成して記録する。あるいは、
（２）ＭＭＴフォーマットに従ったデータを格納したパケットのパケット列（ＭＭＴＰパケット、またはＴＬＶパケット）から構成されるクリップＡＶストリームファイルを生成して記録する。
これらの２種類の処理が可能である。
【０１０２】
以下では、上記（１）の処理、すなわち、ＭＭＴフォーマットをＭＰＥＧ−２ＴＳフォーマットに変換してＴＳパケット列から構成されるクリップＡＶストリームファイルを生成して情報記録媒体（メディア）に記録したデータのコピー制御について説明する。
【０１０３】
具体的には、フォーマット変換（ＭＭＴ→ＭＰＥＧ−２ＴＳ）を行って、メディアに記録されたデータのコピー制御を、元のデータ、すなわち放送局等の送信装置から送信されるＭＭＴフォーマットデータに対応付けられたコピー制御情報を継承して、確実にコピー制御を行うことを可能とした構成である。
【０１０４】
例えば、放送局等の送信装置から送信されるＭＭＴフォーマットデータを、ＭＰＥＧ−２ＴＳフォーマットに変換して、ＴＳパケット列から構成されるクリップＡＶストリームファイルを生成してＢＤ（Ｂｌｕ−ｒａｙ（登録商標）  Ｄｉｓｃ）やフラッシュメモリやＨＤ（ハードディスク）等の記録メディアに記録した場合、ユーザは、さらにそのメディア記録データを、他の第２メディアにコピーする場合がある。
【０１０５】
しかし、前述したように放送コンテンツの多くは著作権により保護されたコンテンツであり、番組等のコンテンツ単位で様々なコピー制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信されるパケット（ＴＬＶパケット／ＭＭＴＰパケット）に格納されてユーザ側の情報処理装置に送信される。
【０１０６】
これらのデータをＢＤ等のメディアに記録した後は、例えば、ＢＤＡＶフォーマット対応のアプリケーション（＝ＭＰＥＧ−２ＴＳフォーマット対応のデータ処理アプリケーション）を利用してコピー処理が行われる。
このコピー処理は、放送波によって送信されるコピー制御情報を順守した態様で行われるべきである。
【０１０７】
しかし、放送波等を介してパケット（ＴＬＶパケット／ＭＭＴＰパケット）に格納されて送信されるコピー制御情報を、どのようにＢＤ等のメディアに記録するかについて、未だ、明確な規定が定まっておらず、何らかの対策を行わないと、放送波によって送信されるコピー制御情報を無視した無秩序なコピー処理が行われる可能性がある。
【０１０８】
本開示の構成は、この問題を解決し、フォーマット変換（ＭＭＴ→ＭＰＥＧ−２ＴＳ）を行って、メディアに記録されたデータについても、フォーマット変換前の元のＭＭＴフォーマットデータに設定されたコピー制御情報を順守した確実なコピー制御を可能としたものである。
【０１０９】
本開示の構成において、コピー制御対象となるデータは、情報記録媒体（メディア）に記録されたデータである。
放送局等の送信装置から送信されるＭＭＴフォーマットデータを、ＭＰＥＧ−２ＴＳフォーマットに変換してＢＤ（Ｂｌｕ−ｒａｙ（登録商標）  Ｄｉｓｃ）やフラッシュメモリやＨＤ（ハードディスク）等の記録メディアに記録したデータである。
ＭＰＥＧ−２ＴＳフォーマットにおいて規定されるＴＳパケットに格納されたデータがコピー制御対象となる。
【０１１０】
コピー制御対象となるメディア記録データの具体例について、図９、図１０を参照して説明する。
図９には、記録再生装置６１、およびメディア６２を示している。
記録再生装置６１は、放送局等の送信装置から送信されるＭＭＴフォーマットデータを、ＭＰＥＧ−２ＴＳフォーマットに変換して、ＴＳパケット列から構成されるクリップＡＶストリームファイルを生成してメディア６２に記録する。
【０１１１】
このメディア６２に記録されたデータ（コンテンツ）が、コピー制御対象となるデータであり、放送局等の送信装置から送信されるＭＭＴフォーマットデータに含まれるコピー制御情報に従って、コピー制御を行う必要となるデータである。
なお、メディア６２は、図に示す例ではＢＤ（Ｂｌｕ−ｒａｙ（登録商標）  Ｄｉｓｃ）としているが、その他のフラッシュメモリやＨＤ（ハードディスク）等の様々な記録メディアであることが可能である。
【０１１２】
図９に示す例は、記録再生装置６１が、放送局等の送信装置から送信されるＭＭＴフォーマットデータを、ＭＰＥＧ−２ＴＳフォーマットに変換して、ＴＳパケット列から構成されるクリップＡＶストリームファイルを生成してメディア６２に記録する例であるが、このような例の他、図１０に示す設定もある。
【０１１３】
図１０には、ＨＤＤ６０、記録再生装置６１、メディア６２を示している。
ＨＤＤ６０は、例えばテレビに付属するＨＤＤである。
まず、テレビに付属するＨＤＤ６０は、放送局等の送信装置から送信されるＭＭＴフォーマットデータを、そのまま記録する。
すなわち、ＭＭＴフォーマットに従ったＭＭＴＰパケットを格納したＴＬＶパケット列から構成されるパケット列をＨＤＤ６０に記録する。
【０１１４】
その後、テレビに接続された記録再生装置６１が、ＨＤＤ６０に記録されたデータ、すなわち、ＴＬＶパケット列から構成されるＭＭＴフォーマットデータを読み出して、このＭＭＴフォーマットデータを、ＭＰＥＧ−２ＴＳフォーマットに変換して、ＴＳパケット列から構成されるクリップＡＶストリームファイルを生成してメディア６２に記録する。
【０１１５】
このメディア６２に記録されたデータ（コンテンツ）も、コピー制御対象となるデータであり、放送局等の送信装置から送信されるＭＭＴフォーマットデータに含まれるコピー制御情報に従って、コピー制御を行う必要となるデータである。
なお、ＨＤＤ６０から、メディア６２に対するデータ記録は、１回のデータコピー処理に相当し、この処理自体も、ＭＭＴフォーマットデータに含まれるコピー制御情報に従って実行する必要がある。
【０１１６】
次に、メディアに記録されたデータのコピー処理の具体的な態様について、図１１を参照して説明する。
図１１に示す例は、先に図９を参照して説明した例、すなわち、放送局等の送信装置から送信されるＭＭＴフォーマットデータを、記録再生装置６１が、直接、ＢＤ等のメディア６２に記録した場合の例である。
【０１１７】
記録再生装置６１は、放送局等の送信装置から送信されるＭＭＴフォーマットデータを、ＭＰＥＧ−２ＴＳフォーマットに変換して、ＴＳパケット列から構成されるクリップＡＶストリームファイルを生成してメディア６２に記録する。
【０１１８】
図１１には、以下の３つの処理を示している。
（Ａ）放送受信データの初期記録
（Ｂ）第１世代コピー
（Ｃ）第２世代コピー
【０１１９】
（Ａ）放送受信データの初期記録は、放送局等の送信装置から受信するデータを記録再生装置６１に入力して、メディア６２に記録する処理である。
メディア６２には、ＴＳパケット列から構成されるクリップＡＶストリームファイルを含むＢＤＡＶフォーマットデータ（図４参照）、またはＳＰＡＶフォーマットデータ（図８参照）が記録される。
なお、前述したように、以下では、ＭＭＴフォーマットデータをＢＤＡＶフォーマットデータとして記録し、再生、コピーする処理例について説明するが、以下に説明する実施例は、ＭＭＴフォーマットデータをＳＰＡＶフォーマットデータとして記録し、再生、コピーする処理にも適用可能である。
【０１２０】
メディア６２に記録されるＢＤＡＶフォーマットデータを構成するクリップＡＶストリームファイルは、ＴＳパケット列から構成されるクリップＡＶストリームファイルである。
【０１２１】
記録再生装置６１は、メディア６２の記録データを他のメディアにコピーすることができる。
このコピー処理によって、図１１（Ｂ）に示すように、第１世代コピーデータを記録したメディアであるメディアＢ１，６３、メディアＢ２，６４等を生成することができる。
【０１２２】
さらに、記録再生装置６１、あるいはその他の記録再生装置は、メディアＢ１，６３、メディアＢ２，６４等に記録された第１世代コピーデータを、他のメディアにコピーすることができる。
このコピー処理によって、図１１（Ｃ）に示すように、第２世代コピーデータを記録したメディアであるメディアＣ１，６５、メディアＣ２，６６等を生成することができる。
図には、第１世代、第２世代のみ、示しているが、さらに、第３世代、第４世代・・・、これら多数世代のコピーデータを作成することも可能である。
【０１２３】
しかし、前述したように、放送コンテンツの多くは著作権により保護されたコンテンツであり、番組等のコンテンツ単位で様々なコピー制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信されるパケット（ＴＬＶパケット／ＭＭＴＰパケット）に格納されてユーザ側の受信装置に送信される。
【０１２４】
［５．ＭＭＴフォーマットデータに設定されるコピー制御情報について］
次に、放送局等の送信装置が配信するＭＭＴフォーマットデータに設定されるコピー制御情報について説明する。
【０１２５】
図１２以下を参照して、放送局等から送信されるＭＭＴフォーマットに従った番組コンテンツやコピー制御情報について説明する。
図１２には、放送局等の送信装置が送信するＭＭＴフォーマットに従ったＴＬＶパケット列と、ＴＬＶパケットの構成、および、ＴＬＶパケットの各々に含まれるＭＭＴＰパケットを抽出して並べたＭＭＴＰパケット列を示している。
【０１２６】
ＭＭＴＰパケット列に含まれる各ＭＭＴＰパケットは、画像、音声、字幕と上の再生対象データや、制御情報（ＳＩ：Ｓｉｇｎａｌｉｎｇ  Ｉｎｆｏｒｍａｔｉｏｎ）等を、データ種類単位で格納したパケットとして構成される。
ＭＭＴＰパケットの各々にどのような種類のデータが格納されているかについては、ＭＭＴＰパケットのヘッダに記録されたパケットＩＤ（ＰＩＤ）によって識別可能となる。
【０１２７】
例えばコピー制御情報は、ＭＭＴフォーマットにおいて規定される制御情報記録テーブルであるサービス記述テーブル（ＭＨ−ＳＤＴ）に記録されている。
なお、ＭＭＴフォーマットには、記録された制御データの種類に応じた様々な制御情報記録テーブルがある。具体的には、例えば、以下のようなテーブルがある。
（ａ）ＴＬＶ−ＮＩＴ（ネットワーク情報テーブル）
（ｂ）ＭＨ−ＢＩＴ（ブロードキャスタ情報テーブル）
（ｃ）ＭＨ−ＳＤＴ（サービス記述テーブル）
（ｄ）ＭＨ−ＥＩＴ（イベント情報テーブル）
（ｅ）ＭＨ−ＴＯＴ（タイムオフセットテーブル）
（ｆ）ＭＰＴ（ＭＭＴパッケージテーブル）
【０１２８】
サービス記述テーブル（ＭＨ−ＳＤＴ）は、制御情報記録テーブルの一つであり、例えば、チャンネル名や、放送事業者名等のチャンネル関連情報を記録したテーブルである。
コピー制御情報は、このサービス記述テーブル（ＭＨ−ＳＤＴ）に記録されている。
図１２に示すように、サービス記述テーブル（ＭＨ−ＳＤＴ）を格納したＭＭＴＰパケットにはパケットＩＤ（ＰＩＤ）として、
ＰＩＤ＝０ｘ８００４
が記録されている。
【０１２９】
ユーザ側の装置は、このＰＩＤ＝０ｘ８００４の設定パケットからサービス記述テーブル（ＭＨ−ＳＤＴ）を取り出して、その記述データからコピー制御情報を取得する。
なお、図１３に示すように、サービス記述テーブル（ＭＨ−ＳＤＴ）を格納したＭＭＴＰパケットは、数秒間隔で送信され、１つのＭＨ−ＳＤＴ格納パケットに格納されたコピー制御情報は、後続する再生対象データ格納パケットに格納されたコンテンツに適用される。
【０１３０】
例えば、図１３に示すサービス記述テーブル（ＭＨ−ＳＤＴ）を格納した制御情報格納パケット７１は、次の制御情報格納パケット７２までの期間内の後続ＭＭＴＰに格納された画像、音声、字幕等のコンテンツに関するコピー制御情報として利用される。
制御情報格納パケット７２は、次の制御情報格納パケット７３までの期間内の後続ＭＭＴＰに格納されたコンテンツに関するコピー制御情報として利用される。
このように、ＭＭＴＰに格納されたコンテンツに関するコピー制御情報は、制御情報格納パケットに格納されたサービス記述テーブル（ＭＨ−ＳＤＴ）を参照して確認することができる。
【０１３１】
次に、図１４以下を参照して、サービス記述テーブル（ＭＨ−ＳＤＴ）の具体的データ構成について説明する。
図１４は、ＭＭＴＰパケットに格納されるサービス記述テーブル（ＭＨ−ＳＤＴ）のデータ構成（シンタクス）を示す図である。
なお、データ構成（Ｓｙｎｔａｘ）に併せて、ビット数（Ｎｏ．  ｏｆ  ｂｉｔｓ）、データ表記（Ｍｎｅｍｏｎｉｃ）を示している。
なお、データ表記中の「ｕｉｍｓｂｆ」は「符号無し整数、最上位ビットが先頭」（ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ）表記を意味する。
「ｂｓｌｂｆ」は、「ビット列、左ビットが先頭（ｂｉｔ  ｓｔｒｉｎｇ，ｌｅｆｔ  ｂｉｔ  ｆｉｒｓｔ）を意味する。
【０１３２】
なお、ＭＭＴフォーマットデータに関する制御情報は、その制御情報の種類（カテゴリ）に応じて複数のテーブルに記録される。
前述したように、例えば、以下のテーブルがある。
（ａ）ＴＬＶ−ＮＩＴ（ネットワーク情報テーブル）
（ｂ）ＭＨ−ＢＩＴ（ブロードキャスタ情報テーブル）
（ｃ）ＭＨ−ＳＤＴ（サービス記述テーブル）
（ｄ）ＭＨ−ＥＩＴ（イベント情報テーブル）
（ｅ）ＭＨ−ＴＯＴ（タイムオフセットテーブル）
（ｆ）ＭＰＴ（ＭＭＴパッケージテーブル）
【０１３３】
さらに、これらのテーブルには、特定のカテゴリに含まれる下位の細分類された制御情報の各々が、記述子（ｄｅｓｃｒｉｐｔｏｒ）単位で記録される。
図１４に示すサービス記述テーブル（ＭＨ−ＳＤＴ）の記述子（ｄｅｓｃｒｉｐｔｏｒ）記録領域には、
（１）コンテンツコピー制御記述子、
（２）コンテンツ利用制御記述子、
これらの記述子が記録される。
なお、これらのデータは、例えば番組単位等、所定のコンテンツ区分ごとに記録可能である。
上記２つの記述子の具体的なデータ構成について、図１５、図１６を参照して説明する。
【０１３４】
まず、図１５を参照して「（１）コンテンツコピー制御記述子」のデータ構成（Ｓｙｎｔａｘ）について説明する。
図１５に示すコンテンツコピー制御記述子には、図に示すように、例えば以下の各データが記録される。
記述子タグ（ｄｅｓｃｒｉｐｔｏｒ＿ｔａｇ）
デジタル記録制御情報（ｄｉｇｉｔａｌ＿ｒｅｃｏｒｄｉｎｇ＿ｃｏｎｔｒｏｌ＿ｄａｔａ）
コンポーネント制御フラグ（ｃｏｍｐｏｎｅｎｔ＿ｃｏｎｔｒｏｌ＿ｆｌａｇ）
【０１３５】
記述子タグ（ｄｅｓｃｒｉｐｔｏｒ＿ｔａｇ）には、
この記述子（ｄｅｓｃｒｉｐｔｏｒ）がコンテンツコピー制御記述子であることを示す識別タグ（０ｘ８０３８）が記録される。
デジタル記録制御情報（ｄｉｇｉｔａｌ＿ｒｅｃｏｒｄｉｎｇ＿ｃｏｎｔｒｏｌ＿ｄａｔａ）には、
デジタル記録としてのコピー処理を実行してよいか否かを示す値が記録される。
具体例については、図１７を参照して後段で説明する。
【０１３６】
コンポーネント制御フラグ（ｃｏｍｐｏｎｅｎｔ＿ｃｏｎｔｒｏｌ＿ｆｌａｇ）には、この記述子（コンテンツコピー制御記述子）が有効であるか否かを示す値が記録される。例えば以下の１ビットが記録される。
有効＝０
無効＝１
【０１３７】
次に、図１４に示すサービス記述テーブル（ＭＨ−ＳＤＴ）の記述子（ｄｅｓｃｒｉｐｔｏｒ）として記録されるもう一つの記述子である「コンテンツ利用制御記述子」のデータ構成（Ｓｙｎｔａｘ）について、図１６を参照して説明する。
図１６に示すように、「コンテンツ利用制御記述子」には、例えば以下の各データが記録される。
コピー制限モード情報（ｃｏｐｙ＿ｒｅｓｔｒｉｃｔｉｏｎ＿ｍｏｄｅ）
暗号化モード情報（ｅｎｃｒｙｐｔｉｏｎ＿ｍｏｄｅ）
【０１３８】
コピー制限モード情報（ｃｏｐｙ＿ｒｅｓｔｒｉｃｔｉｏｎ＿ｍｏｄｅ）には、
コピー可能な数であるコピー数の制限があるか否かのデータが記録される。
例えば、
コピー数制限あり＝１
コピー数制限なし＝０
これらのデータが記録される。
【０１３９】
暗号化モード情報（ｅｎｃｒｙｐｔｉｏｎ＿ｍｏｄｅ）には、
コピー処理を行う場合の出力データを、暗号化データとして出力することが必要か否かのデータが記録される。
例えば、
出力データの暗号化要＝０
出力データの暗号化不要＝１
これらのデータが記録される。
【０１４０】
図１４に示すサービス記述テーブル（ＭＨ−ＳＤＴ）には、図１５、図１６を参照して説明したように、以下の３種類のコピー制御関連情報が記録される。
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化モード情報（ｅｎｃｒｙｐｔｉｏｎ＿ｍｏｄｅ）
（Ｃ）コピー制限モード情報（ｃｏｐｙ＿ｒｅｓｔｒｉｃｔｉｏｎ＿ｍｏｄｅ）
【０１４１】
図１７に、デジタルコピー制御態様の種類（５種類）と、上記のＭＭＴフォーマットにおいて規定される３種類の制御情報の設定を一覧としてまとめた図を示す。
図１７には、デジタルコピー制御態様の種類として、以下の５種類を示している。
（１）制約条件なしでコピー可、ただし、コピー出力データの暗号化必要
（２）制約条件なしでコピー可、かつ、コピー出力データの暗号化不要
（３）コピー禁止
（４）１世代のみコピー可、ただし、コピー数制限あり
（５）１世代のみコピー可、かつ、コピー数制限なし
【０１４２】
上記の５種類のデジタルコピー制御態様について、上記のＭＭＴフォーマットにおいて規定される３種類の制御情報の設定は、図に示すように、以下の設定となる。
（１）制約条件なしでコピー可、ただし、コピー出力データの暗号化必要
（Ａ）デジタル記録制御情報＝００（制約条件なしにコピー可、デジタル記録可）
（Ｂ）暗号化モード情報＝０（コピー出力データの暗号化必要）
（Ｃ）コピー制限モード情報＝Ｄｏｎ'ｔ  Ｃａｒｅ（規定なし）
【０１４３】
（２）制約条件なしでコピー可、かつ、コピー出力データの暗号化不要
（Ａ）デジタル記録制御情報＝００（制約条件なしにコピー可、デジタル記録可）
（Ｂ）暗号化モード情報＝１（コピー出力データの暗号化不要）
（Ｃ）コピー制限モード情報＝Ｄｏｎ'ｔ  Ｃａｒｅ（規定なし）
【０１４４】
（３）コピー禁止
（Ａ）デジタル記録制御情報＝１１（コピー禁止、デジタル記録不可）
（Ｂ）暗号化モード情報＝Ｄｏｎ'ｔ  Ｃａｒｅ（規定なし）
（Ｃ）コピー制限モード情報＝Ｄｏｎ'ｔ  Ｃａｒｅ（規定なし）
【０１４５】
（４）１世代のみコピー可、ただし、コピー数制限あり
（Ａ）デジタル記録制御情報＝１０（一世代のみコピー可、一世代のみデジタル記録可）
（Ｂ）暗号化モード情報＝０（コピー出力データの暗号化必要）
（Ｃ）コピー制限モード情報＝１（コピー数制限あり）
【０１４６】
（５）１世代のみコピー可、かつ、コピー数制限なし
（Ａ）デジタル記録制御情報＝１０（一世代のみコピー可、一世代のみデジタル記録可）
（Ｂ）暗号化モード情報＝０（コピー出力データの暗号化必要）
（Ｃ）コピー制限モード情報＝０（コピー数制限なし）
【０１４７】
図１７に示す５種類のデジタルコピー制御態様（１）〜（５）について、ＭＭＴフォーマットにおいて規定される３種類の制御情報、すなわち、
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化モード情報（ｅｎｃｒｙｐｔｉｏｎ＿ｍｏｄｅ）
（Ｃ）コピー制限モード情報（ｃｏｐｙ＿ｒｅｓｔｒｉｃｔｉｏｎ＿ｍｏｄｅ）
これらの記録データは、図１７に示すように、上述した設定となる。
【０１４８】
［６．ＭＭＴフォーマットデータをＭＰＥＧ−２ＴＳフォーマットデータに変換して記録する場合のコピー制御情報の記録処理について］
次に、ＭＭＴフォーマットデータをＭＰＥＧ−２ＴＳフォーマットデータに変換して記録する場合のコピー制御情報の記録処理について説明する。
【０１４９】
図１４〜図１７を参照して説明したように、放送局等の送信装置が送信するＭＭＴフォーマットデータには、送信コンテンツ、すなわち、画像、音声、字幕等から構成される再生対象データに関するコピー制御情報が付与されている。
ＭＭＴフォーマットデータに含まれるコピー制御情報は、ＭＭＴフォーマットにおいて規定されるＭＭＴＰパケットに格納されたサービス記述テーブル（ＭＨ−ＳＤＴ）、すなわち図１４に示すテーブルに記録されている。
【０１５０】
先に図９〜図１１を参照して説明したように、記録再生装置６１は、放送局等の送信装置が送信するＭＭＴフォーマットデータを、ＭＰＥＧ−２ＴＳフォーマットデータに変換し、ＴＳパケット列からなるクリップＡＶストリームファイルを生成してメディア６２に記録する。
【０１５１】
本開示の構成では、記録再生装置６１は、このフォーマット変換処理に際して、ＭＭＴＰパケットに格納されたサービス記述テーブル（ＭＨ−ＳＤＴ）内のコピー制御情報を読み取り、ＭＰＥＧ−２ＴＳフォーマットにおいて規定されるＴＳパケット内に記録する。
この処理を行うことで、メディア６２に記録されたデータについても、放送波において規定されたコピー制御情報を遵守したコピー制御を行うことが可能となる。
以下、本開示の情報処理装置の実行する処理、すなわち、ＭＭＴフォーマットデータをＭＰＥＧ−２ＴＳフォーマットデータに変換して記録する場合のコピー制御情報の記録処理について説明する。
【０１５２】
ＭＭＴフォーマットデータを、ＭＰＥＧ−２ＴＳフォーマットデータに変換し、ＴＳパケット列からなるクリップＡＶストリームファイルを生成してメディアに記録する再生装置、例えば、図９、図１０を参照して説明した記録再生装置６１は、ＭＭＴＰパケットに格納されたサービス記述テーブル（ＭＨ−ＳＤＴ）内のコピー制御情報を読み取り、ＭＰＥＧ−２ＴＳフォーマットにおいて規定されるＴＳパケット内に記録する。
【０１５３】
記録再生装置６１は、図１４〜図１７を参照して説明したＭＭＴフォーマットにおいて規定されるＭＭＴＰパケットに格納されたサービス記述テーブル（ＭＨ−ＳＤＴ）内の、
コンテンツコピー制御記述子、
コンテンツ利用制御記述子、
これらの情報を読み取り、
ＭＰＥＧ−２ＴＳフォーマットにおいて規定される制御情報記録テーブルであるプログラムマップテーブル（ＰＭＴ：Ｐｒｏｇｒａｍ  Ｍａｐ  Ｔａｂｌｅ）に記録し、コピー制御情報を記録したＰＭＴをＴＳパケットに格納してメディアに記録する。
【０１５４】
ＭＰＥＧ−２ＴＳフォーマットにおいて規定される制御情報記録テーブルであるプログラムマップテーブル（ＰＭＴ）は、ＴＳパケットに格納され、再生対象データである画像、音声、字幕等のデータを格納したＴＳパケットとともに、ＢＤＡＶフォーマットにおいて規定されるクリップＡＶストリームファイルに格納される。
【０１５５】
図１８を参照して、ＭＰＥＧ−２ＴＳフォーマットにおいて規定されるプログラムマップテーブル（ＰＭＴ）について説明する。
図１８は、プログラムマップテーブル（ＰＭＴ）のデータ構成（シンタクス：Ｓｙｎｔａｘ）を示す図である。
なお、図１８に示すように、プログラムマップテーブル（ＰＭＴ）は、クリップＡＶストリームファイルの構成パケットであるＴＳパケットに格納される。
【０１５６】
プログラムマップテーブル（ＰＭＴ）の記述子（ｄｅｓｃｒｉｐｔｏｒ）の１つとして、コピー状態記述子（ｃｏｐｙ＿ｓｔａｔｕｓ＿ｄｅｓｃｒｉｐｔｏｒ）８１が記録される。
【０１５７】
図１９は、コピー状態記述子（ｃｏｐｙ＿ｓｔａｔｕｓ＿ｄｅｓｃｒｉｐｔｏｒ）８１のデータ構成（シンタクス：Ｓｙｎｔａｘ）を示している。
コピー状態記述子（ｃｏｐｙ＿ｓｔａｔｕｓ＿ｄｅｓｃｒｉｐｔｏｒ）には、以下の各データが含まれる。
記述子タグ（ｄｅｓｃｒｉｐｔｏｒ＿ｔａｇ）＝記述子識別子
記述子長（ｄｅｓｃｒｉｐｔｏｒ＿ｌｅｎｇｔｈ）＝記述子バイト数
ＣＡシステムＩＤ（ＣＡ＿Ｓｙｓｔｅｍ＿ＩＤ）＝適用対象を示す識別子
プライベートデータバイト（ｐｒｉｖａｔｅ＿ｄａｔａ＿ｂｙｔｅ）＝プライベートデータ記録領域
【０１５８】
上記の各データ中、プライベートデータバイト（ｐｒｉｖａｔｅ＿ｄａｔａ＿ｂｙｔｅ）＝プライベートデータ記録領域は、様々なデータを記録することが許容された領域である。
このプライベートデータ記録領域に、放送波等によって受信するＭＭＴフォーマットデータ中のサービス記述テーブル（ＭＨ−ＳＤＴ）内に記録されたコピー制御情報、すなわち、図１４〜図１７を参照して説明した、
コンテンツコピー制御記述子、
コンテンツ利用制御記述子、
これらの情報を継承したデータを記録する。
【０１５９】
プライベートデータ記録領域のデータ構成例について、図２０以下を参照して説明する。
プライベートデータ記録領域には、図２０に示すように、以下のデータが記録される。
リテンションムーブモード（Ｒｅｔｅｎｔｉｏｎ＿Ｍｏｖｅ＿Ｍｏｄｅ）
リテンションステート（Ｒｅｔｅｎｔｉｏｎ＿Ｓｔａｔｅ）
ＥＰＮ＝コピー出力データ暗号化要否情報
ＣＣＩ＝コピー制限情報
なお、これらのデータは、例えば番組単位等、所定のコンテンツ区分ごとに記録可能である。
【０１６０】
リテンションムーブモード（Ｒｅｔｅｎｔｉｏｎ＿Ｍｏｖｅ＿Ｍｏｄｅ）、リテンションステート（Ｒｅｔｅｎｔｉｏｎ＿Ｓｔａｔｅ）、これらの情報は、データのコピー許容期間に関する情報である。本開示の処理では、これらのデータは利用しない。
【０１６１】
ＥＰＮ（ｅｎｃｒｙｐｔｉｏｎ  ｐｌｕｓ  ｎｏｎ−ａｓｓｅｒｔｅｄ）は、メディアに記録されたデータを、コピー出力（デジタル出力）する際に暗号化が必要であるか否かの情報を記録する領域である。
ＣＣＩ（ｃｏｐｙ  ｃｏｎｔｒｏｌ  ｉｎｆｏｒｍａｔｉｏｎ）は、コピー処理が許容されるか否かの情報や、許容コピー回数に関する情報を記録する領域である。
【０１６２】
ＥＰＮと、ＣＣＩの詳細について、図２１を参照して説明する。
ＥＰＮは、コピー出力データ暗号化要否情報を記録する領域であり、
０，または１の１ビットデータを記録することが可能である。
記録ビット値０，１は、以下の意味を有する。
（１）ビット値：０＝コピー出力データ（デジタルデータ）の暗号化必要（ＥＰＮ−ａｓｓｅｒｔｅｄ）
（２）ビット値：１＝コピー出力データ（デジタルデータ）の暗号化不要（ＥＰＮ−ｕｎａｓｓｅｒｔｅｄ）
【０１６３】
ＣＣＩは、コピー制限情報を記録する領域であり、
００〜１１の２ビットデータを記録することが可能である。
記録ビット値００〜１１は、以下の意味を有する。
（１）ビット値：００＝コピー制限なし（Ｃｏｐｙ  Ｃｏｎｔｒｏｌ  Ｎｏｔ  Ａｓｓｅｒｔｅｄ）
（２）ビット値：０１＝次世代コピー不可（Ｎｏ  Ｍｏｒｅ  Ｃｏｐｙ）
（３）ビット値：１０＝１世代のみコピー可（Ｃｏｐｙ  Ｏｎｅ  Ｇｅｎｅｒａｔｉｏｎ）
（４）ビット値：１１＝コピー不可（Ｎｅｖｅｒ  Ｃｏｐｙ）
【０１６４】
ＭＰＥＧ−２ＴＳフォーマットにおいて規定されるプログラムマップテーブル（ＰＭＴ）には、上記のＥＰＮ，ＣＣＩの各コピー制御情報を記録することが規定されており、例えばＭＰＥＧ−２ＴＳフォーマット対応のデータ処理アプリケーションを利用してコピー処理を行う場合、このＰＭＴに記録されたコピー制御情報（ＥＰＮ，ＣＣＩ）の設定値に従ってコピー制御が実行される。
【０１６５】
従って、ＭＭＴフォーマットデータをＭＰＥＧ−２ＴＳフォーマットに変換して記録する情報処理装置、例えば先に図９、図１０を参照して説明した記録再生装置６１は、以下の処理を実行する。
【０１６６】
記録再生装置６１は、まず、例えば放送等によって入力される入力データであるＭＭＴフォーマットデータから、サービス記述テーブル（ＭＨ−ＳＤＴ）を取得する。
さらに、サービス記述テーブル（ＭＨ−ＳＤＴ）内に記録されたコピー制御情報の設定値を読み取る。
次に、読み取った設定値に基づいて、ＭＰＥＧ−２ＴＳフォーマット規定のプログラムマップテーブル（ＰＭＴ）のコピー制御情報（ＥＰＮ，ＣＣＩ）の設定値を決定して記録する。
【０１６７】
このような処理を行うことで、元の放送波等において規定されていたＭＭＴフォーマットデータ対応のコピー制御情報を、メディアに記録したＭＰＥＧ−２ＴＳフォーマットデータに対しても継承することが可能となる。
【０１６８】
先に図１４〜図１７を参照して説明したように、ＭＭＴフォーマット対応のサービス記述テーブル（ＭＨ−ＳＤＴ）内に記録されたコピー制御情報として、
コンテンツコピー制御記述子、
コンテンツ利用制御記述子、
これらの情報がある。
【０１６９】
一方、図１８〜図２１を参照して説明したように、ＭＰＥＧ−２ＴＳフォーマット対応のプログラムマップテーブル（ＰＭＴ）内に記録されたコピー制御情報として、
ＥＰＮ＝コピー出力データ暗号化要否情報
ＣＣＩ＝コピー制限情報
これらの情報がある。
【０１７０】
ＭＭＴフォーマットデータをＭＰＥＧ−２ＴＳフォーマットデータに変換してメディアに記録する装置は、ＭＭＴフォーマットのコピー制御情報、すなわち、サービス記述テーブル（ＭＨ−ＳＤＴ）に記録された、
コンテンツコピー制御記述子、
コンテンツ利用制御記述子、
これらの情報についても、ＭＰＥＧ−２ＴＳフォーマットのコピー制御情報、すなわち、プログラムマップテーブル（ＰＭＴ）に記録された、
ＥＰＮ＝コピー出力データ暗号化要否情報
ＣＣＩ＝コピー制限情報
これらの情報に変換することが必要となる。
【０１７１】
このためには、ＭＭＴフォーマット対応のコピー制御情報から、ＭＥＧ−２ＴＳフォーマット対応のコピー制御情報に変換するための変換規則を定義し、変換規則に従って、変換を行うことが必要となる。
この変換規則の例について、図２２を参照して説明する。
【０１７２】
ＭＭＴフォーマットデータをＭＰＥＧ−２ＴＳフォーマットデータに変換してメディアに記録する装置は、例えば、図２２に示す変換規則に従って、ＭＭＴフォーマットのコピー制御情報、すなわち、サービス記述テーブル（ＭＨ−ＳＤＴ）に記録された各種のコピー制御情報を、ＭＰＥＧ−２ＴＳフォーマットのコピー制御情報、すなわち、プログラムマップテーブル（ＰＭＴ）に記録する各種のコピー制御情報に変換して、メディアに記録する。
【０１７３】
なお、コピー制御情報は、ＭＭＴフォーマットにおいても、ＭＰＥＧ−２ＴＳフォーマットにおいても、例えば番組単位等、所定のコンテンツ区分ごとに設定可能であり、変換処理も、例えば番組単位等、所定のコンテンツ区分ごとに実行される。
【０１７４】
図２２に示す変換規則について説明する。
図２２に示す変換規則は、ＭＰＥＧ−２ＴＳフォーマット規定のプログラムマップテーブル（ＰＭＴ）に記録するコピー制御情報である、
１ビットデータであるＥＰＮ（０，１）＝コピー出力データ暗号化要否情報
２ビットデータであるＣＣＩ（００〜１１）＝コピー制限情報
これら２つのコピー制御情報の設定値を、ＭＭＴフォーマット規定のサービス記述テーブル（ＭＨ−ＳＤＴ）に記録されたコピー制御情報の、どの設定値に基づいて決定して記録するかを規定した変換規則である。
【０１７５】
図２２には、以下の２つの項目を示している。
（ａ）コピー出力データの暗号化要否情報（ＥＰＮ対応情報）
（ｂ）コピー可否、またはコピー許容回数情報の少なくともいずれかの情報（ＣＣＩ対応情報）
【０１７６】
（ａ）コピー出力データの暗号化要否情報（ＥＰＮ対応情報）は、ＭＰＥＧ−２ＴＳフォーマット規定のプログラムマップテーブル（ＰＭＴ）に記録するコピー制御情報として規定されているＥＰＮに対応する情報である。
【０１７７】
（ｂ）コピー可否、またはコピー許容回数情報の少なくともいずれかの情報（ＣＣＩ対応情報）は、ＭＰＥＧ−２ＴＳフォーマット規定のプログラムマップテーブル（ＰＭＴ）に記録するコピー制御情報として規定されているＣＣＩに対応する情報である。
【０１７８】
まず、
（ａ）コピー出力データの暗号化要否情報（ＥＰＮ対応情報）
について説明する。
このＥＰＮ対応情報は、ＭＭＴフォーマット規定のサービス記述テーブル（ＭＨ−ＳＤＴ）に記録されたコピー制御情報中の、
暗号化モード情報（ｅｎｃｒｙｐｔｉｏｎ＿ｍｏｄｅ）
に対応する。
【０１７９】
先に図１７を参照して説明したように、ＭＭＴフォーマットにおいて、
暗号化モード情報（ｅｎｃｒｙｐｔｉｏｎ＿ｍｏｄｅ）は、１ビット情報であり、
０は、コピー出力データの暗号化必要、
１は、コピー出力データの暗号化不要、
これらの設定であることを意味する。
【０１８０】
一方、先に図２１を参照して説明したように、ＭＰＥＧ−２ＴＳフォーマット規定のＥＰＮもコピー出力データの暗号化要否情報として１ビットデータを記録する領域である。記録ビット値０，１は、以下の意味を有する。
（１）ビット値：０＝コピー出力データ（デジタルデータ）の暗号化必要（ＥＰＮ−ａｓｓｅｒｔｅｄ）
（２）ビット値：１＝コピー出力データ（デジタルデータ）の暗号化不要（ＥＰＮ−ｕｎａｓｓｅｒｔｅｄ）
【０１８１】
ＭＭＴフォーマットデータをＭＰＥＧ−２ＴＳフォーマットデータに変換してメディアに記録する装置は、これらの対応関係に基づいて、
ＭＭＴフォーマットの暗号化モード情報（ｅｎｃｒｙｐｔｉｏｎ＿ｍｏｄｅ）＝０は、ＭＰＥＧ−２ＴＳフォーマット規定のＥＰＮ＝０に変換する。
また、ＭＭＴフォーマットの暗号化モード情報（ｅｎｃｒｙｐｔｉｏｎ＿ｍｏｄｅ）＝１は、ＭＰＥＧ−２ＴＳフォーマット規定のＥＰＮ＝１に変換する。
【０１８２】
このように、ＭＭＴフォーマットデータをＭＰＥＧ−２ＴＳフォーマットデータに変換してメディアに記録する装置は、ＭＰＥＧ−２ＴＳフォーマット規定のプログラムマップテーブル（ＰＭＴ）に記録するＥＰＮの値を、上記変換ルールに従って決定する。
【０１８３】
次に、図２２に示す、
（ｂ）コピー可否、またはコピー許容回数情報の少なくともいずれかの情報（ＣＣＩ対応情報）について説明する。
このＣＣＩ対応情報は、ＭＭＴフォーマット規定のサービス記述テーブル（ＭＨ−ＳＤＴ）に記録されたコピー制御情報中の、
デジタル記録制御情報（ｄｉｇｉｔａｌ＿ｒｅｃｏｒｄｉｎｇ＿ｃｏｎｔｒｏｌ＿ｄａｔａ）
に対応する。
【０１８４】
先に図１７を参照して説明したように、ＭＭＴフォーマットにおいて、
デジタル記録制御情報（ｄｉｇｉｔａｌ＿ｒｅｃｏｒｄｉｎｇ＿ｃｏｎｔｒｏｌ＿ｄａｔａ）は、２ビット情報であり、
００は、制約条件なしにコピー可、デジタル記録可、
１１は、コピー禁止、デジタル記録不可
１０は、一世代のみコピー可、一世代のみデジタル記録可
これらの設定であることを意味する。
【０１８５】
一方、先に図２１を参照して説明したように、ＭＰＥＧ−２ＴＳフォーマット規定のＣＣＩも、コピー制限情報として２ビットデータを記録する領域である。記録ビット値００，０１，１０，１１は、以下の意味を有する。
（１）ビット値：００＝コピー制限なし（Ｃｏｐｙ  Ｃｏｎｔｒｏｌ  Ｎｏｔ  Ａｓｓｅｒｔｅｄ）
（２）ビット値：０１＝次世代コピー不可（Ｎｏ  Ｍｏｒｅ  Ｃｏｐｙ）
（３）ビット値：１０＝１世代のみコピー可（Ｃｏｐｙ  Ｏｎｅ  Ｇｅｎｅｒａｔｉｏｎ）
（４）ビット値：１１＝コピー不可（Ｎｅｖｅｒ  Ｃｏｐｙ）
【０１８６】
ＭＭＴフォーマットデータをＭＰＥＧ−２ＴＳフォーマットデータに変換してメディアに記録する装置は、これらの対応関係に基づいて、
ＭＭＴフォーマットのデジタル記録制御情報（ｄｉｇｉｔａｌ＿ｒｅｃｏｒｄｉｎｇ＿ｃｏｎｔｒｏｌ＿ｄａｔａ）＝００は、ＭＰＥＧ−２ＴＳフォーマット規定のＣＣＩ＝００に変換する。
これらの設定値は、いずれも、制限のないコピー処理が許容されることを意味する。
【０１８７】
また、ＭＭＴフォーマットのデジタル記録制御情報（ｄｉｇｉｔａｌ＿ｒｅｃｏｒｄｉｎｇ＿ｃｏｎｔｒｏｌ＿ｄａｔａ）＝１１の場合は、
このＭＭＴフォーマットデータのコピーが禁止されていること意味する。
従って、ＭＭＴフォーマットデータをＭＰＥＧ−２ＴＳフォーマットデータに変換してメディアに記録しようとする装置は、ＭＭＴフォーマットデータをＭＰＥＧ−２ＴＳフォーマットに変換して記録する処理を実行することなく中止する。
【０１８８】
また、ＭＭＴフォーマットのデジタル記録制御情報（ｄｉｇｉｔａｌ＿ｒｅｃｏｒｄｉｎｇ＿ｃｏｎｔｒｏｌ＿ｄａｔａ）＝１０は、
１世代のみコピー可を意味する。
この設定値は、ＭＰＥＧ−２ＴＳフォーマット規定のＣＣＩ＝０１に対応するが、ＭＭＴフォーマットデータをＭＰＥＧ−２ＴＳフォーマットに変換して記録する処理自体が１世代のコピー処理に該当するため、このフォーマット変換記録処理を実行した時点で、許容コピー処理が完了することになる。
従って、この場合、ＭＭＴフォーマットデータをＭＰＥＧ−２ＴＳフォーマットデータに変換してメディアに記録する装置は、ＭＰＥＧ−２ＴＳフォーマット規定のＣＣＩとして、ＣＣＩ＝１１、すなわち、コピー不可（Ｎｅｖｅｒ  Ｃｏｐｙ）の設定値を記録する。
【０１８９】
このように、ＭＭＴフォーマットデータをＭＰＥＧ−２ＴＳフォーマットデータに変換してメディアに記録する装置は、図２２に示す変換規則に従って、ＭＭＴフォーマットのサービス記述テーブル（ＭＨ−ＳＤＴ）に記録されたコピー制御情報を、ＭＰＥＧ−２ＴＳフォーマットのプログラムマップテーブル（ＰＭＴ）のコピー制御情報（ＥＰＮ，ＣＣＩ）として記録する処理を実行する。
【０１９０】
この処理を行うことで、フォーマット変換処理後のメディア記録データであるＭＰＥＧ−２ＴＳフォーマットデータに対して、元のデータ、すなわち放送局等の送信装置から送信されるＭＭＴフォーマットデータに対応付けられたコピー制御情報を継承した確実なコピー制御を行うことが可能となる。
【０１９１】
［７．情報記録媒体に対するデータ記録処理を実行する情報処理装置の構成と処理について］
次に、図２３以下を参照して、放送局等の送信装置から受信したＭＭＴフォーマットデータを入力して、情報記録媒体に対するデータ記録処理を実行する情報処理装置の構成と処理について説明する。
【０１９２】
先に説明したように、本開示の情報処理装置は、ＭＭＴフォーマットに従った入力データを、ＭＰＥＧ−２ＴＳフォーマットに変換して、ＢＤやＨＤ、あるいはフラッシュメモリ等の情報記録媒体に記録する。
この場合、記録フォーマットは、例えばＢＤＡＶフォーマット、ＳＰＡＶフォーマットである。
【０１９３】
さらに、このデータ記録処理に際して、ＭＭＴフォーマットに従った入力データに含まれるコピー制御情報、具体的には、ＭＭＴＰパケットに格納されるサービス記述テーブル（ＭＨ−ＳＤＴ）に格納されたコピー制御情報を取得して、ＭＰＥＧ−２ＴＳフォーマット規定のプログラムマップテーブル（ＰＭＴ）に記録する処理を行う。さらに、プレイリストやクリップ情報ファイル等のデータベースファイルに、ＭＭＴフォーマットデータ対応の再生制御情報、属性情報等を記録する処理も行う。
【０１９４】
コピー制御情報や、再生制御情報、属性情報等の情報は、例えば、ＭＭＴフォーマットに従った入力データに含まれる制御情報であるＴＬＶ−ＳＩや、ＭＭＴ−ＳＩを構成する様々な情報記録テーブルから取得可能である。
以下、ＢＤ等の情報記録媒体に対するデータ記録処理を実行する情報処理装置の構成と、処理シーケンスについて説明する。
【０１９５】
図２３は、ＢＤ等の情報記録媒体に対するデータ記録処理を実行する情報処理装置４００の構成を示す図である。
情報処理装置４００は、情報記録媒体（記録メディア）４２０に、クリップＡＶストリームファイル、さらに、プレイリストやクリップ情報ファイル等のデータベースファイルを記録する。
【０１９６】
データ入力部４０１は、情報記録媒体４２０に対するＭＭＴフォーマットデータ４３１、すなわち画像データ、音声データ、字幕データ等を含むＭＭＴフォーマットデータ４３１を入力する。
データ入力部４０１は、ＭＭＴフォーマットデータ４３１を送信する例えば放送局やコンテンツサーバ等からの送信データを受信する受信部、あるいは、ＭＭＴフォーマットデータ４３１を記録したメディアからのデータ読み取りを実行するメディア読み取り部等によって構成される。
【０１９７】
データ入力部４０１から入力するＭＭＴフォーマットデータ４３１は、先に図２を参照して説明したデータフォーマットに従ったデータであり、例えばＨＥＶＣ画像等の高精細画像データが含まれている。
【０１９８】
ＭＭＴフォーマットデータ４３１は、制御部４０３の制御によって、記憶部４０４に格納される。
ユーザ入力部４０２は、例えば情報記録媒体４２０に対するデータ記録の開始要求等を入力する。
【０１９９】
ユーザ入力部４０２から、データ記録開始要求を入力すると、この入力をトリガとして、記憶部４０４に格納されたＭＭＴフォーマットデータ４３１が、デマルチプレクサ（ＤｅＭＵＸ）４０５に入力される。
デマルチプレクサ（ＤｅＭＵＸ）４０５は、ＭＭＴフォーマットデータ４３１から、画像、音声、字幕等の各データを格納したパケットや、通知情報や、再生制御情報、コピー制御情報等を含む制御情報（ＴＬＶ−ＳＩ，ＭＭＴ−ＳＩ）等の補助情報を取得し、データ種別のパケットに分類し、各パケットを、データ種類に応じて、記録データ生成部４０６の字幕データ生成部４１１、画像データ生成部４１２、音声データ生成部４１３、補助情報生成部４１４に入力する。
【０２００】
字幕データ生成部４１１は、データ入力部４０１が入力し、記憶部４０４に格納されたＭＭＴフォーマットデータ３３１から、字幕データを取得し、ＢＤＡＶフォーマットにおいて規定されるストリームファイル格納用データを生成する。
画像データ生成部４１２は、データ入力部４０１が入力し、記憶部４０４に格納されたＭＭＴフォーマットデータ３３１から、画像データを取得し、ＢＤＡＶフォーマットにおいて規定されるストリームファイル格納用データを生成する。
音声データ生成部４１３は、データ入力部４０１が入力し、記憶部４０４に格納されたＭＭＴフォーマットデータ４３１から、音声データを取得し、ＢＤＡＶフォーマットにおいて規定されるストリームファイル格納用データを生成する。
【０２０１】
補助情報生成部４１４は、データ入力部４０１が入力し、記憶部４０４に格納されたＭＭＴフォーマットデータ４３１から、通知情報や、再生制御情報、コピー制御情報等を含む制御情報（ＴＬＶ−ＳＩ，ＭＭＴ−ＳＩ）等の補助情報を取得し、ＢＤＡＶフォーマットにおいて規定されるデータベースファイルとしてのプレイリストファイルやクリップ情報ファイル、クリップＡＶストリームファイルに格納すべきデータを生成する。
【０２０２】
補助情報生成部４１４は、さらに、ＭＭＴフォーマットデータに含まれるサービス記述テーブル（ＭＨ−ＳＤＴ）に記録されたコピー制御情報を取得して、ＭＰＥＧ−２ＴＳフォーマット規定のプログラムマップテーブル（ＰＭＴ）にコピー制御情報を記録する処理を行う。
この処理は、先に図２２を参照して説明した変換規則に従って実行される。
【０２０３】
マルチプレクサ（ＭＵＸ）４１５は、字幕データ生成部４１１、画像データ生成部４１２、音声データ生成部４１３が変換した字幕、画像、音声各データ、および補助情報生成部４１４がＭＭＴフォーマットデータ３３１の制御情報（ＴＬＶ−ＳＩ，ＭＭＴ−ＳＩ）等から取得した様々な情報を入力し、これらのデータを格納したストリームファイル（クリップＡＶストリームファイル）を生成する。
【０２０４】
なお、ストリームファイル（クリップＡＶストリームファイル）には、コピー制御情報を記録したＭＰＥＧ−２ＴＳフォーマット規定のプログラムマップテーブル（ＰＭＴ）が含まれる。
【０２０５】
データベースファイル生成部４１６は、補助情報生成部４１４がＭＭＴフォーマットデータ４３１の制御情報（ＴＬＶ−ＳＩ，ＭＭＴ−ＳＩ）から取得した様々な情報を記録したプレイリストファイルやクリップ情報ファイル等のデータベースファイルを生成する。
【０２０６】
記録データ生成部４０６の生成したストリームファイルデータと、プレイリストファイル、クリップ情報ファイル等のデータベースファイルを含む記録データ４３２は、制御部４０３の制御の下、記録部４０６によって、ドライブ４０７を介して情報記録媒体４２０に出力され、記録される。
【０２０７】
次に、図２３に示す情報処理装置４００が実行するコピー制御情報を記録したプログラムマップテーブル（ＰＭＴ）の生成処理を行う保持情報生成部４１４の構成の具体例について、図２４を参照して説明する。
【０２０８】
図２４に示すように、記録データ生成部４０６は、字幕データ生成部４１１、画像データ生成部４１２、音声データ生成部４１３、補助情報生成部４１４、マルチブレクサ（ＭＵＸ）４１５、データベースファイル生成部４１６を有する。
【０２０９】
補助情報生成部４１４は、データ解析部４５１、プログラムマップテーブル（ＰＭＴ）生成部４５２、データベースファイル記録情報生成部４５３を有する。
データ解析部４５１は、デマルチブレクサ（ＤｅＭＵＸ）４０５によって分離されたデータを解析し、情報記録媒体（記録メディア）４２０に記録するコピー制御情報、さらに、プレイリストファイル、クリップ情報ファイル等に記録するデータを生成するために適用するデータを取得する。
【０２１０】
コピー制御情報を生成するために適用するデータは、プログラムマップテーブル（ＰＭＴ）生成部４５２に出力される。また、プレイリストファイル、クリップ情報ファイルを生成するために適用するデータは、データベースファイル記録情報生成部４５３に出力される。
【０２１１】
プログラムマップテーブル（ＰＭＴ）生成部４５２は、コピー制御情報を記録したプログラムマップテーブル（ＰＭＴ）を生成する。
この処理は、先に説明したように、図２２に示す変換規則に従って、ＭＭＴフォーマットのサービス記述テーブル（ＭＨ−ＳＤＴ）に記録されたコピー制御情報を、ＭＰＥＧ−２ＴＳフォーマットのプログラムマップテーブル（ＰＭＴ）のコピー制御情報（ＥＰＮ，ＣＣＩ）として記録する処理を実行する。
【０２１２】
データベースファイル記録情報生成部４５３は、プレイリストファイル、クリップ情報ファイル等に記録するデータを生成し、データベースファイル生成部４１６に出力する。
データベースファイル生成部４１６は、データベースファイル記録情報生成部４５３の生成データを適用して、プレイリストファイル、クリップ情報ファイルを生成する。
【０２１３】
補助情報生成部４１４のプログラムマップテーブル（ＰＭＴ）生成部４５２の生成したプログラムマップテーブル（ＰＭＴ）は、マルチプレクサ（ＭＵＸ）４１５のストリームファイル生成部４６１に入力される。
【０２１４】
字幕データ生成部４１１、画像データ生成部４１２、音声データ生成部４１３の生成した記録用データも、マルチプレクサ（ＭＵＸ）４１５のストリームファイル生成部４６１に入力される。
【０２１５】
マルチプレクサ（ＭＵＸ）４１５のストリームファイル生成部４６１は、画像、音声、字幕、さらにコピー制御情報を格納したＰＭＴ等を個別のＴＳパケットに格納したストリームファイル（クリップＡＶストリームファイル）を生成する。
【０２１６】
このようにして生成されたストリームファイルと、データベースファイルが情報記録媒体（記録メディア）４２０に対する記録データ４３２として記録部４０７に出力される。
【０２１７】
次に、図２３、図２４を参照して説明した情報処理装置４００が実行する情報記録媒体４２０に対するデータ記録処理のシーケンスについて、図２５に示すフローチャートを参照して説明する。
【０２１８】
図２５に示すフローに従った処理は、例えば情報処理装置の記憶部に格納されたプログラムに従って、プログラム実行機能を有するＣＰＵを備えたデータ処理部（制御部）の制御の下で実行することができる。
以下、図２５のフローに示す各ステップの処理について、順次、説明する。
【０２１９】
（ステップＳ１０１）
まず、情報処理装置４００は、ステップＳ１０１において、データ入力部４０１を介して記録用データであるＭＭＴフォーマットデータを入力する。
この記録用データには画像データ、音声データ、字幕データ、さらに、通知情報や制御情報等を格納した制御情報（ＴＬＶ−ＳＩ，ＭＭＴ−ＳＩ）等が含まれる。
なお、制御情報として、ＭＭＴフォーマットのサービス記述テーブル（ＭＨ−ＳＤＴ）に記録されたコピー制御情報が含まれる。
【０２２０】
（ステップＳ１０２）
次に、ステップＳ１０２において、情報処理装置４００は、入力したＭＭＴフォーマットデータのデマルチプレクス処理、すなわち、データ種類単位のデータ分離処理を行う。画像、音声、字幕、制御情報等の分離処理を実行する。
【０２２１】
（ステップＳ１０３）
次に、ステップＳ１０３において、情報処理装置４００は、ステップＳ１０２で分離した制御情報、例えば制御情報（ＴＬＶ−ＳＩ，ＭＭＴ−ＳＩ）をメモリに格納する。
この制御情報には、ＭＭＴフォーマットのサービス記述テーブル（ＭＨ−ＳＤＴ）に記録されたコピー制御情報が含まれる。
【０２２２】
（ステップＳ１０４）
次に、ステップＳ１０４において、情報処理装置４００は、ステップＳ１０３でメモリに格納したＭＭＴフォーマットのサービス記述テーブル（ＭＨ−ＳＤＴ）に記録されたコピー制御情報を読み取り、ＭＰＥＧ−２ＴＳフォーマット規定のプログラムマップテーブル（ＰＭＴ）にコピー制御情報を記録する処理を行う。
この処理は、先に図２２を参照して説明した変換規則に従って実行される。
【０２２３】
情報記録媒体（記録メディア）４２０に記録するプログラムマップテーブル（ＰＭＴ）には、コピー制御情報として、
ＥＰＮ＝コピー出力データ暗号化要否情報
ＣＣＩ＝コピー制限情報
これらの情報が記録される。
【０２２４】
これらの各設定値は、先に図２２を参照して説明したように、ＭＭＴフォーマット規定のサービス記述テーブル（ＭＨ−ＳＤＴ）に記録されたコピー制御情報中の、
暗号化モード情報（ｅｎｃｒｙｐｔｉｏｎ＿ｍｏｄｅ）
デジタル記録制御情報（ｄｉｇｉｔａｌ＿ｒｅｃｏｒｄｉｎｇ＿ｃｏｎｔｒｏｌ＿ｄａｔａ）
これらのコピー制御情報の値に基づいて決定される。なお、必要に応じてコピー制御情報の更新処理も実行される。図２２を参照して説明したＣＣＩ＝０１からＣＣＩ＝１１の値への更新処理である。
【０２２５】
（ステップＳ１０５）
次に、ステップＳ１０５において、情報処理装置４００は、ステップＳ１０４で生成したプログラムマップテーブル（ＰＭＴ）を含むＴＳパケット列からなるストリームファイルを生成する。
【０２２６】
（ステップＳ１０６）
次に、ステップＳ１０６において、情報処理装置４００は、入力したＭＭＴフォーマットデータの構成データを利用して、クリップ情報ファイルを生成する。
すなわち、ＭＭＴフォーマットデータを格納したクリップＡＶストリームファイルに対応するクリップ情報ファイルを生成する。
【０２２７】
（ステップＳ１０７）
次に、ステップＳ１０７において、情報処理装置４００は、入力したＭＭＴフォーマットデータの構成データを利用して、プレイリストファイルを生成する。
すなわち、ＭＭＴフォーマットデータを格納したクリップＡＶストリームファイルに対応するプレイリストファイルを生成する。
【０２２８】
（ステップＳ１０８）
次に、ステップＳ１０８において、情報処理装置４００は、入力したＭＭＴフォーマットデータを利用してその他のデータベースファイルを生成する。
【０２２９】
（ステップＳ１０９）
次に、ステップＳ１０９において、情報処理装置４００は、生成したＡＶストリームファイルとデータベースファイルを利用してＢＤＡＶフォーマットデータを生成する。
【０２３０】
（ステップＳ１１０）
次に、ステップＳ１１０において、情報処理装置４００は、ステップＳ１０９で生成したＢＤＡＶフォーマットデータを情報記録媒体（メディア）に記録する。
【０２３１】
［８．情報記録媒体間のデータコピー処理を実行する情報処理装置の構成と処理について］
次に、図２６以下を参照して情報記録媒体間のデータコピー処理を実行する情報処理装置の構成と処理について説明する。
【０２３２】
図２６に示す情報処理装置５００は、第１メディア５２１に記録されたデータを第２メディア５２２にコピーして記録する情報処理装置である。
【０２３３】
情報処理装置５００は、例えばＢＤ（Ｂｌｕ−ｒａｙ（登録商標）  Ｄｉｓｃ）等の情報記録媒体である第１メディア５２１に記録されたデータを読み出し、第２メディア５２２に記録する、いわゆるコピー処理を行なう。
あるいは、通信部５０３を介して入力したメディア記録データを第２メディア５２２に記録するコピー処理を行なう。
【０２３４】
情報処理装置５００は、図２６に示すように、制御部５０１、入力部５０２、通信部５０３、記憶部５０４、出力部５０５、第１メディアＩＦ（インタフェース）５０６、データバッファ５０７、コピー制御情報確認部５０８、コピー記録データ生成部５０９、第２メディアＩＦ５１０を有する。
【０２３５】
制御部５０１は、メディアを利用したデータ記録再生、メディア間のデータコピー処理等、情報処理装置５００において実行するデータ処理の制御を行う、これらの制御は、例えば記憶部５０４に格納されたプログラム従って行われる。
【０２３６】
入力部５０２は、ユーザの操作可能なスイッチ、ボタン、タッチパネル等の入力部であり、再生、コピー、記録等の様々な処理の指示入力などを行う入力部である。
また、入力部５０２は、メディアに記録する画像や音声等を入力する撮像部、マイクを持つ構成としてもよい。
通信部５０３は、例えば外部サーバ、あるいは外部機器との通信を行い、メディアに対する記録データや、記録データに関する制御情報、あるいはコピー処理の許可情報の取得など、各種の通信処理に利用される。
【０２３７】
記憶部５０４は、制御部５０１の実行するプログラムや、プログラム実行に用いるパラメータ等の記憶領域、さらにプログラム実行時のワーク領域等に利用される。
具体的には、第２メディア５２２に対するデータ記録時に第１メディア５２１から読み出したデータ、あるいは通信部５０３を介して入力したデータを一時的に格納する領域としても利用される。
記憶部５０４は、例えばＲＡＭ、ＲＯＭ等によって構成される。
出力部５０５は、外部装置に対する出力部や、メディアからの再生データの出力部によって構成される。例えば、第２メディア５２２に対するデータ記録処理の進行状況の表示、ユーザに対するメッセージ表示などに利用され、ディスプレイやスピーカ等を含む。
【０２３８】
第１メディアインタフェース（ＩＦ）５０６は、例えばＢＤ（Ｂｌｕ−ｒａｙ（登録商標）  Ｄｉｓｃ）等の第１メディア５２１に対するアクセスを行い、第１メディア５２１に対するデータ記録やデータ読み取りを行なうデータ記録再生部として機能するインタフェースである。
【０２３９】
データバッファ５０７は、第１メディア５２１からの読み出しデータや、通信部５０３から入力するデータを一時的に格納するバッファである。例えば第２メディア５２２に記録するデータを一時的に格納する。
【０２４０】
コピー制御情報確認部５０８は、第１メディア５２１に記録されたデータのコピー処理において参照すべきコピー制御情報の確認処理を実行する。
ストリームファイルの構成パケット（ＴＳパケット）から、プログラムマップテーブル（ＰＭＴ）を格納したＴＳパケットを取得し、プログラムマップテーブル（ＰＭＴ）に記録されたコピー制御情報を読み取る。
【０２４１】
このコピー制御情報は、先に説明した図２２に示す変換規則に従って、元のＭＭＴフォーマットのサービス記述テーブル（ＭＨ−ＳＤＴ）に記録されたコピー制御情報に基づいて記録されたコピー制御情報である。
【０２４２】
コピー制御情報確認部５０８は、プログラムマップテーブル（ＰＭＴ）に記録されたコピー制御情報を参照してコピー処理が許容されるか否かを判定する。
コピー処理が許容されない場合は、コピーを行わず、コピーが許容される場合は、コピーを実行する。
【０２４３】
なお、プログラムマップテーブル（ＰＭＴ）には、番組等のコンテンツ単位でコピー制御情報が記録されており、このコピー許容判定は、コンテンツ単位で行うことができる。
【０２４４】
コピー記録データ生成部５０９は、コピー制御情報確認部５０８においてコピーが許容されると判定されたデータについてのコピー記録データを生成する。
なお、このコピー記録データ生成処理には、例えば、第２メディア５２２対応のフォーマットへの変換処理や、暗号化処理等も含まれる。
【０２４５】
第２メディアインタフェース（ＩＦ）５１０は、第２メディア５２２に対するアクセスを行い、第２メディア５２２に対するデータ記録あるいは読み取り処理を行なうデータ記録再生部として機能するインタフェースである。
【０２４６】
このように、情報処理装置５００は、第１メディア５２１、あるいは通信部５０３を介して入力するデータを第２メディア５２２に記録する処理を行なう。
この処理の際に、プログラムマップテーブル（ＰＭＴ）を参照してコピー処理が許容されるか否かを判定し、さらに、コピー制御情報に記録された制御情報に従ったコピー処理を実行する。
さらに、コピー処理の実行に伴い、コピー制御情報の更新が必要な場合は、更新処理を実行して、更新後のコピー制御情報を第２メディア５２２に記録する。
【０２４７】
なお、情報処理装置５００は、第１メディア５２１から第２メディア５２２に対するコピー処理の許可情報を外部のサーバから通信部５０３を介して取得し、この許可情報の取得を条件としたコピー処理を行う構成としてもよい。
【０２４８】
次に、図２６に示す情報処理装置５００が実行する第１メディア５２１から第２メディア５２２に対するデータコピー処理のシーケンスについて、図２７に示すフローチャートを参照して説明する。
【０２４９】
図２７に示すフローに従った処理は、例えば情報処理装置５００の記憶部に格納されたプログラムに従って、プログラム実行機能を有するＣＰＵを備えたデータ処理部（制御部）の制御の下で実行することができる。
以下、図２７のフローに示す各ステップの処理について、順次、説明する。
【０２５０】
（ステップＳ２０１）
まず、情報処理装置５００は、ステップＳ２０１において、例えばユーザの入力したコピーデータ指定情報に従い、指定されたコピー対象のストリームファイル、および、このストリームファイルに対応付けられたプレイリストファイルやクリップ情報ファイル等のコピー対象データを第１メディア５２１から読み取る。
【０２５１】
（ステップＳ２０２）
次に、情報処理装置５００は、ステップＳ２０２において、取得したストリームファイルに対応する制御情報を記録したプログラムマップテーブル（ＰＭＴ）からコピー制御情報を読み取る。
【０２５２】
このプログラムマップテーブル（ＰＭＴ）には、コピー制御情報として、
ＥＰＮ＝コピー出力データ暗号化要否情報
ＣＣＩ＝コピー制限情報
これらの情報が記録されている。
【０２５３】
（ステップＳ２０３）
次に、情報処理装置５００は、ステップＳ２０３において読み取ったコピー制御情報に基づいて、選択ストリームのコピーを許容しているか否かを判定する。
許容している場合は、ステップＳ２０４に進む。
許容していない場合は、ステップＳ２０５に進む。
【０２５４】
（ステップＳ２０４）
ステップＳ２０３において、選択ストリームのコピーを許容していると判定した場合は、ステップＳ２０４に進み、情報処理装置５００は、選択ストリームのコピー処理を実行し、さらに、必要に応じて、プログラムマップテーブル（ＰＭＴ）のコピー制御情報を更新する。
【０２５５】
（ステップＳ２０５）
一方、ステップＳ２０３において、選択ストリームのコピーを許容していないと判定した場合は、ステップＳ２０５に進み、情報処理装置５００は、選択ストリームのコピー処理を行うことなく、処理を終了する。
【０２５６】
［９．情報処理装置の構成例について］
次に、情報記録媒体に対するデータ記録、情報記録媒体館のデータコピー処理を実行する情報処理装置として適用可能な情報処理装置のハードウェア構成例について、図２８を参照して説明する。
【０２５７】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０２５８】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０２５９】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０２６０】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０２６１】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２６２】
なお、本明細書において開示した技術は、以下のような構成をとることができる。
（１）  コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部は、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理装置。
【０２６３】
（２）  前記データ処理部は、
入力データに含まれるＭＭＴフォーマットデータ対応のコピー制御情報を取得し、ＭＰＥＧ−２ＴＳフォーマット規定のプログラムマップテーブル（ＰＭＴ）に記録するコピー制御情報を生成する処理を行う（１）に記載の情報処理装置。
【０２６４】
（３）  前記データ処理部は、
コピー制御情報を記録したプログラムマップテーブル（ＰＭＴ）を格納したＴＳパケットを生成し、ＢＤＡＶフォーマット、またはＳＰＡＶフォーマットにおいて規定されるクリップＡＶストリームファイルに格納する（１）または（２）に記載の情報処理装置。
【０２６５】
（４）  前記データ処理部は、
前記ＭＭＴフォーマットデータ対応のコピー制御情報を、ＭＭＴフォーマット規定のサービス記述テーブル（ＭＨ−ＳＤＴ）から取得する（１）〜（３）いずれかに記載の情報処理装置。
【０２６６】
（５）  前記データ処理部は、
前記プログラムマップテーブル（ＰＭＴ）に、情報記録媒体に記録するデータについての、
（ａ）コピー出力データの暗号化要否情報、
（ｂ）コピー可否情報、またはコピー許容回数情報の少なくともいずれかの情報、
上記各情報を記録する（２）〜（４）いずれかに記載の情報処理装置。
【０２６７】
（６）  前記データ処理部は、
前記プログラムマップテーブル（ＰＭＴ）の記録データとして規定されるＥＰＮ、ＣＣＩの各値の決定処理を行う（２）〜（５）いずれかに記載の情報処理装置。
【０２６８】
（７）  前記データ処理部は、
前記プログラムマップテーブル（ＰＭＴ）に記録するＥＰＮ、ＣＣＩの各値の決定処理を、予め規定した変換規則に従って実行する（６）に記載の情報処理装置。
【０２６９】
（８）  前記変換規則は、
ＭＭＴフォーマット規定のサービス記述テーブル（ＭＨ−ＳＤＴ）に記録されるコピー制御情報と、ＭＰＥＧ−２ＴＳフォーマット規定のプログラムマップテーブル（ＰＭＴ）に記録されるコピー制御情報との変換規則である（７に記載の情報処理装置。
【０２７０】
（９）  第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部は、
前記コピー制御情報を参照して、参照情報に従って前記ストリームファイルのコピー制御を実行する情報処理装置。
【０２７１】
（１０）  前記コピー制御情報は、
ＭＰＥＧ−２ＴＳフォーマット規定のプログラムマップテーブル（ＰＭＴ）に記録されており、
前記データ処理部は、
プログラムマップテーブル（ＰＭＴ）を格納したＴＳパケットを選択し、選択ＴＳパケットからプログラムマップテーブル（ＰＭＴ）を取得し、取得したプログラムマップテーブル（ＰＭＴ）に記録されたコピー制御情報を参照して、参照情報に従って前記ストリームファイルのコピー制御を実行する（９）に記載の情報処理装置。
【０２７２】
（１１）  前記データ処理部は、
前記プログラムマップテーブル（ＰＭＴ）の記録データとして規定されるＥＰＮ、ＣＣＩの各値に従ったコピー制御を実行する（１０）に記載の情報処理装置。
【０２７３】
（１２）  前記コピー制御情報は、
ＭＭＴフォーマット規定のサービス記述テーブル（ＭＨ−ＳＤＴ）から取得されたコピー制御情報に基づいて生成されたコピー制御情報である（９）〜（１１）いずれかに記載の情報処理装置。
【０２７４】
（１３）  前記データ処理部は、
前記コピー制御情報に基づいて、
（ａ）コピー出力データの暗号化要否、
（ｂ）コピー可否情報、またはコピー許容回数情報の少なくともいずれかの情報、
上記各情報を取得し、取得情報に従って前記ストリームファイルのコピー制御を実行する（９）〜（１２）いずれかに記載の情報処理装置。
【０２７５】
（１４）  ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを再生データとして格納したＴＳパケットと、
前記再生データ対応のコピー制御情報を格納したＴＳパケットと、
を含むＴＳパケット列によって構成されるストリームファイルを有する情報記録媒体であり、
前記情報記録媒体の記録データのコピー処理を実行する情報処理装置が、
前記コピー制御情報を参照して、参照情報に従って前記ストリームファイルのコピー制御を実行可能とした記録データを有する情報記録媒体。
【０２７６】
（１５）  情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記データ処理部が、
入力データに含まれるＭＭＴフォーマットデータ対応のコピー制御情報を取得し、ＭＰＥＧ−２ＴＳフォーマットにおいて規定されるコピー制御情報に変換して、ＭＰＥＧ−２ＴＳフォーマット規定のコピー制御情報を含む記録データを生成する情報処理方法。
【０２７７】
（１６）  情報処理装置において実行する情報処理方法であり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記データ処理部が、
前記コピー制御情報を参照して、参照情報に従って前記ストリームファイルのコピー制御を実行する情報処理方法。
【０２７８】
（１７）  情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、ＭＰＥＧ−２ＴＳフォーマットデータに変換するフォーマット変換を実行して、情報記録媒体に記録する記録データを生成するデータ処理部を有し、
前記プログラムは、前記データ処理部に、
入力データに含まれるＭＭＴフォーマットデータ対応のコピー制御情報を取得する処理と、ＭＰＥＧ−２ＴＳフォーマットにおいて規定されるコピー制御情報に変換する処理と、ＭＰＥＧ−２ＴＳフォーマット規定のコピー制御情報を含む記録データを生成する処理を実行させるプログラム。
【０２７９】
（１８）  情報処理装置において情報処理を実行させるプログラムであり、
前記情報処理装置は、
第１メディアの記録データを、第２メディアにコピーするデータ処理部を有し、
前記第１メディアは、
ＭＭＴ（ＭＰＥＧ  Ｍｅｄｉａ  Ｔｒａｎｓｐｏｒｔ）フォーマットをＭＰＥＧ−２ＴＳフォーマットにフォーマット変換したフォーマット変換データを、再生データとして格納したＴＳパケットと、前記再生データ対応のコピー制御情報を格納したＴＳパケットを含むパケット列によって構成されるストリームファイルを記録したメディアであり、
前記プログラムは、前記データ処理部に、
前記コピー制御情報を参照して、参照情報に従って前記ストリームファイルのコピー制御を実行させるプログラム。
【０２８０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２８１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２８２】
以上、説明したように、本開示の一実施例の構成によれば、ＭＭＴフォーマットデータをＭＰＥＧ−２ＴＳＶフォーマットデータに変換してメディアに記録し、元のコピー制御情報に従ったコピー制御を可能とする構成が実現される。
具体的には、例えば、コピー制御情報の設定されたＭＭＴフォーマットデータを入力し、ＭＰＥＧ−２ＴＳフォーマットデータに変換して情報記録媒体に記録する。ＭＭＴフォーマット規定のサービス記述テーブル（ＭＨ−ＳＤＴ）に記録されたコピー制御情報を取得し、予め規定した変換規則に従って、ＭＰＥＧ−２ＴＳ規定のプログラムマップテーブル（ＰＭＴ）に記録するコピー制御情報を生成する。例えば変換規則に従って、ＰＭＴに記録するＥＰＮ、ＣＣＩの値を決定して記録する。
本構成により、ＭＭＴフォーマットデータをＭＰＥＧ−２ＴＳＶフォーマットデータに変換してメディアに記録し、元のコピー制御情報に従ったコピー制御を可能とする構成が実現される。
【符号の説明】
【０２８３】
２０  送信装置
２１  放送サーバ
２２  データ配信サーバ
３０  情報処理装置
３１  記録再生装置
３２  ＴＶ
３３  ＰＣ
３４  携帯端末
４０  情報記録媒体（メディア）
４１  ＢＤ
４２  ＨＤＤ
４３  フラッシュメモリ
６０  ＨＤＤ
６１  記録再生装置
６２〜６６  メディア
４００  情報処理装置
４０１  データ入力部
４０２  ユーザ入力部
４０３  制御部
４０４  記憶部
４０５  デマルチプレクサ
４０６  記録データ生成部
４０７  記録部
４０８  ドライブ
４１１  字幕データ生成部
４１２  画像データ生成部
４１３  音声データ生成部
４１４  補助情報生成部
４１５  マルチプレクサ
４１６  データベースファイル生成部
４２０  情報記録媒体
４５１  データ解析部
４５２  プログラムマップテーブル（ＰＭＴ）生成部
４５３  データベースファイル記録用データ生成部
５００  情報処理装置
５０１  制御部
５０２  入力部
５０３  通信部
５０４  記憶部
５０５  出力部
５０６  第１メディアＩＦ
５０７  データバッファ
５０８  コピー制御情報確認部
５０９  コピー記録データ生成部
５１０  第２メディアＩＦ
５２１  第１メディア
５２２  第２メディア
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2018221293.tif 000003
【図２】
2018221293.tif 000004
【図３】
2018221293.tif 000005
【図４】
2018221293.tif 000006
【図５】
2018221293.tif 000007
【図６】
2018221293.tif 000008
【図７】
2018221293.tif 000009
【図８】
2018221293.tif 000010
【図９】
2018221293.tif 000011
【図１０】
2018221293.tif 000012
【図１１】
2018221293.tif 000013
【図１２】
2018221293.tif 000014
【図１３】
2018221293.tif 000015
【図１４】
2018221293.tif 000016
【図１５】
2018221293.tif 000017
【図１６】
2018221293.tif 000018
【図１７】
2018221293.tif 000019
【図１８】
2018221293.tif 000020
【図１９】
2018221293.tif 000021
【図２０】
2018221293.tif 000022
【図２１】
2018221293.tif 000023
【図２２】
2018221293.tif 000024
【図２３】
2018221293.tif 000025
【図２４】
2018221293.tif 000026
【図２５】
2018221293.tif 000027
【図２６】
2018221293.tif 000028
【図２７】
2018221293.tif 000029
【図２８】
2018221293.tif 000030
【国際調査報告】
2018221293.tif 000031
2018221293.tif 000032
2018221293.tif 000033